(57)【要約】      （修正有）【課題】リンク情報が簡単に設定できて、当該リンク情報を介して取引に関する行為が行われた場合等に対する報酬を得ることを可能とするとともに、Ｗｅｂサイトの運営やＷｅｂページの作成等の作業を行わなくても当該報酬を得ることを可能とする。【解決手段】取引対象に関する情報の表示画面を構成する画面情報をネットワークを介して端末装置に提供し、画面情報に埋め込まれたリンク情報を介して取引に関する行為が行われたことに対する報酬を示す報酬情報をデータベースに登録する。ユーザが入力した取引対象に対するコメント情報を受信して、コメント情報を入力したユーザの識別情報を認識し、コメント対象の取引対象の取引に対応して、ユーザ識別情報が示すユーザの報酬情報を登録するためリンク情報を生成し、コメント情報を含む表示画面の画面情報に生成されたリンク情報を埋め込み、他のユーザが利用する閲覧用端末装置に送信する。【選択図】図１７
2008052327.tif 000002
【特許請求の範囲】
【請求項１】
ネットワークに接続可能な端末装置と、
取引対象に関する情報の表示画面を構成する画面情報を前記ネットワークを介して前記端末装置に提供するとともに、前記画面情報に埋め込まれたリンク情報を介して取引に関する行為が行われたことに対する報酬を示す報酬情報をデータベースに登録する取引処理装置と、
により構成される取引システムであって、
前記取引処理装置は、
ユーザにより入力された前記取引対象に対するコメント情報を、当該ユーザが利用する前記端末装置であるコメント入力端末装置から受信するコメント情報受信手段と、
前記コメント情報を入力した前記ユーザを識別するためのユーザ識別情報を認識するユーザ識別情報認識手段と、
前記受信されたコメント情報がコメント対象とする前記取引対象の取引に対応し、且つ前記認識されたユーザ識別情報が示す前記ユーザに対する前記報酬情報を登録するために用いられる前記リンク情報を生成するリンク情報生成手段と、
前記コメント情報を含む表示画面を構成する前記画面情報を、前記生成されたリンク情報を当該コメント情報に対応させて選択可能に埋め込み生成する画面情報生成手段と、
前記生成された画面情報を他のユーザが利用する前記端末装置である閲覧端末装置に送信する画面情報送信手段と、を備え、
前記コメント入力端末装置は、
前記ユーザにより入力された前記コメント情報を前記取引処理装置に送信するコメント情報送信手段を備え、
前記閲覧端末装置は、
前記取引処理装置により送信された前記画面情報を受信する画面情報受信手段と、
前記受信された画面情報に基づいて前記埋め込まれたリンク情報を選択可能にして前記コメント情報を画面に表示する表示手段と、
を備えることを特徴とする取引処理システム。
【請求項２】
ネットワークに接続可能な端末装置と、
取引対象に関する情報の表示画面を構成する画面情報を前記ネットワークを介して前記端末装置に提供するとともに、前記画面情報に埋め込まれたリンク情報を介して取引に関する行為が行われたことに対する報酬を示す報酬情報をデータベースに登録する取引処理装置と、
により構成される取引システムであって、
前記ユーザによりお気に入りに指定された前記取引対象を示すお気に入り指定情報を、当該ユーザが利用する前記端末装置であるお気に入り指定端末装置から受信するお気に入り指定情報受信手段と、
前記お気に入りの指定を行った前記ユーザを識別するためのユーザ識別情報を認識するユーザ識別情報認識手段と、
前記受信されたお気に入り指定情報が示す前記取引対象の取引に対応し、且つ前記認識されたユーザ識別情報に対応付けて前記報酬情報を前記データベースに登録するために用いられる前記リンク情報を生成するリンク情報生成手段と、
前記指定された取引対象が前記ユーザのお気に入りであることを示すお気に入り情報を含む表示画面を構成する前記画面情報を、前記生成されたリンク情報を当該取引対象に対応させて選択可能に埋め込み生成する画面情報生成手段と、
前記生成された画面情報を他のユーザが利用する前記端末装置である閲覧端末装置に送信する画面情報送信手段と、を備え、
前記お気に入り指定端末装置は、
前記ユーザによりお気に入りに指定された前記取引対象を示す前記お気に入り指定情報を前記取引処理装置に送信するお気に入り指定情報送信手段を備え、
前記閲覧端末装置は、
前記取引処理装置により送信された前記画面情報を受信する画面情報受信手段と、
前記受信された画面情報に基づいて前記埋め込まれたリンク情報を選択可能にして前記お気に入り情報を画面に表示する表示手段と、
を備えることを特徴とする取引処理システム。
【請求項３】
取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置であって、
ユーザにより入力された前記取引対象に対するコメント情報を、当該ユーザが利用する前記端末装置であるコメント入力端末装置から受信するコメント情報受信手段と、
前記コメント情報を入力した前記ユーザを識別するためのユーザ識別情報を認識するユーザ識別情報認識手段と、
前記受信されたコメント情報がコメント対象とする前記取引対象の取引に対応し、且つ前記認識されたユーザ識別情報が示す前記ユーザに対する前記報酬情報を登録するために用いられる前記リンク情報を生成するリンク情報生成手段と、
前記コメント情報を含む表示画面を構成する前記画面情報を、前記生成されたリンク情報を当該コメント情報に対応させて選択可能に埋め込み生成する画面情報生成手段と、
前記生成された画面情報を他のユーザが利用する前記端末装置である閲覧端末装置に送信する画面情報送信手段と、
を備えることを特徴とする取引処理装置。
【請求項４】
請求項３に記載の取引処理装置において、
前記データベースには、前記ユーザにより過去に取引された前記取引対象を示す取引情報が、当該ユーザの前記ユーザ識別情報に対応付けて登録されており、
前記リンク情報生成手段は、前記認識されたユーザ識別情報に対応する前記取引情報が示す前記取引対象をコメント対象とする前記コメント情報に対応して前記リンク情報を生成することを特徴とする取引処理装置。
【請求項５】
請求項３または請求項４に記載の取引処理装置において、
前記受信されたコメント情報を前記認識されたユーザ識別情報に対応付けて前記データベースに登録するとともに、当該コメント情報がコメント対象とする前記取引対象識別情報を当該コメント情報に対応付けて前記データベースに登録するコメント情報登録手段を更に備え、
前記リンク情報生成手段は、前記登録されたコメント情報に対応する前記取引対象識別情報が示す前記取引対象の取引に対応した前記リンク情報を、当該コメント情報に対応するユーザ識別情報を特定可能に生成し、
前記画面情報生成手段は、前記登録されたコメント情報の前記画面情報を生成することを特徴とする取引処理装置。
【請求項６】
取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置であって、
前記ユーザによりお気に入りに指定された前記取引対象を示すお気に入り指定情報を、当該ユーザが利用する前記端末装置であるお気に入り指定端末装置から受信するお気に入り指定情報受信手段と、
前記お気に入りの指定を行った前記ユーザを識別するためのユーザ識別情報を認識するユーザ識別情報認識手段と、
前記受信されたお気に入り指定情報が示す前記取引対象の取引に対応し、且つ前記認識されたユーザ識別情報に対応付けて前記報酬情報を前記データベースに登録するために用いられる前記リンク情報を生成するリンク情報生成手段と、
前記指定された取引対象が前記ユーザのお気に入りであることを示すお気に入り情報を含む表示画面を構成する前記画面情報を、前記生成されたリンク情報を当該取引対象に対応させて選択可能に埋め込み生成する画面情報生成手段と、
前記生成された画面情報を他のユーザが利用する前記端末装置である閲覧端末装置に送信する画面情報送信手段と、
を備えることを特徴とする取引処理装置。
【請求項７】
請求項６に記載の取引処理装置において、
前記データベースには、前記ユーザにより過去に取引された前記取引対象を示す取引情報が、当該ユーザの前記ユーザ識別情報に対応付けて登録されており、
前記リンク情報生成手段は、前記認識されたユーザ識別情報に対応する前記取引情報が示す前記取引対象の前記ユーザによるお気に入りの指定に対応して前記リンク情報を生成することを特徴とする取引処理装置。
【請求項８】
請求項６または請求項７に記載の取引処理装置において、
前記データベースには、前記お気に入り情報を管理するためのお気に入り管理情報が、前記ユーザ識別情報に対応付けて登録されており、
前記受信されたお気に入り指定情報が示す前記取引対象を識別するための取引対象識別情報を、前記認識されたユーザ識別情報に対応する前記お気に入り管理情報中に登録するお気に入り情報登録手段を更に備え、
前記リンク情報生成手段は、前記登録された取引対象識別情報が示す前記取引対象の取引に対応した前記リンク情報を、前記お気に入り管理情報に対応するユーザ識別情報を特定可能に生成し、
前記画面情報生成手段は、前記登録された取引対象識別情報が示す前記取引対象に関する前記お気に入り情報の前記画面情報を生成することを特徴とする取引処理装置。
【請求項９】
請求項３乃至８に記載の取引処理装置において、
前記リンク情報生成手段は、前記認識されたユーザ識別情報を特定可能に前記リンク情報を生成し、
前記送信された画面情報を通じて前記他のユーザにより前記リンク情報が選択されたことに基づいて前記閲覧者端末装置から送信された、当該リンク情報を含むアクセス要求情報を受信するアクセス要求情報受信手段と、
前記受信されたアクセス要求情報に含まれる前記リンク情報が対応する前記取引対象の取引を行うために必要な表示画面を構成する取引対象画面情報を前記閲覧者端末装置に送信する取引対象画面情報送信手段と、
前記送信された取引対象画面情報を受信した前記閲覧者端末装置から前記他のユーザの指令に基づいて送信された取引の要求を示す取引要求情報を受信する取引要求受信手段と、
前記受信された取引要求情報に基づいて取引の登録を示す取引登録情報を前記データベースに登録する取引登録手段と、
前記登録された取引登録情報が示す取引の確定を認識する取引確定認識手段と、
前記アクセス要求情報が受信された場合と、前記取引登録情報が登録された場合と、前記取引の確定が認識された場合と、の少なくともいずれか一つの場合において、当該アクセス要求情報に含まれる前記リンク情報により特定される前記ユーザ識別情報に対応付けて前記報酬情報を登録する報酬情報登録手段と、
を更に備えることを特徴とする取引処理装置。
【請求項１０】
取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置による画面情報生成方法であって、
ユーザにより入力された前記取引対象に対するコメント情報を、当該ユーザが利用する前記端末装置であるコメント入力端末装置から受信するコメント情報受信工程と、
前記コメント情報を入力した前記ユーザを識別するためのユーザ識別情報を認識するユーザ識別情報認識工程と、
前記受信されたコメント情報がコメント対象とする前記取引対象の取引に対応し、且つ前記認識されたユーザ識別情報が示す前記ユーザに対する前記報酬情報を登録するために用いられる前記リンク情報を生成するリンク情報生成工程と、
前記コメント情報を含む表示画面を構成する前記画面情報を、前記生成されたリンク情報を当該コメント情報に対応させて選択可能に埋め込み生成する画面情報生成工程と、
前記生成された画面情報を他のユーザが利用する前記端末装置である閲覧端末装置に送信する画面情報送信工程と、
を備えることを特徴とする画面情報生成方法。
【請求項１１】
取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置による画面情報生成方法であって、
前記ユーザによりお気に入りに指定された前記取引対象を示すお気に入り指定情報を、当該ユーザが利用する前記端末装置であるお気に入り指定端末装置から受信するお気に入り指定情報受信工程と、
前記お気に入りの指定を行った前記ユーザを識別するためのユーザ識別情報を認識するユーザ識別情報認識工程と、
前記受信されたお気に入り指定情報が示す前記取引対象の取引に対応し、且つ前記認識されたユーザ識別情報に対応付けて前記報酬情報を前記データベースに登録するために用いられる前記リンク情報を生成するリンク情報生成工程と、
前記指定された取引対象が前記ユーザのお気に入りであることを示すお気に入り情報を含む表示画面を構成する前記画面情報を、前記生成されたリンク情報を当該取引対象に対応させて選択可能に埋め込み生成する画面情報生成工程と、
前記生成された画面情報を他のユーザが利用する前記端末装置である閲覧端末装置に送信する画面情報送信工程と、
を備えることを特徴とする画面情報生成方法。
【請求項１２】
取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置に含まれるコンピュータを、
ユーザにより入力された前記取引対象に対するコメント情報を、当該ユーザが利用する前記端末装置であるコメント入力端末装置から受信するコメント情報受信手段、
前記コメント情報を入力した前記ユーザを識別するためのユーザ識別情報を認識するユーザ識別情報認識手段、
前記受信されたコメント情報がコメント対象とする前記取引対象の取引に対応し、且つ前記認識されたユーザ識別情報が示す前記ユーザに対する前記報酬情報を登録するために用いられる前記リンク情報を生成するリンク情報生成手段、
前記コメント情報を含む表示画面を構成する前記画面情報を、前記生成されたリンク情報を当該コメント情報に対応させて選択可能に埋め込み生成する画面情報生成手段と、
前記生成された画面情報を他のユーザが利用する前記端末装置である閲覧端末装置に送信する画面情報送信手段、
として機能させることを特徴とする画面情報生成処理プログラム。
【請求項１３】
取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置に含まれるコンピュータを、
前記ユーザによりお気に入りに指定された前記取引対象を示すお気に入り指定情報を、当該ユーザが利用する前記端末装置であるお気に入り指定端末装置から受信するお気に入り指定情報受信手段、
前記お気に入りの指定を行った前記ユーザを識別するためのユーザ識別情報を認識するユーザ識別情報認識手段、
前記受信されたお気に入り指定情報が示す前記取引対象の取引に対応し、且つ前記認識されたユーザ識別情報に対応付けて前記報酬情報を前記データベースに登録するために用いられる前記リンク情報を生成するリンク情報生成手段、
前記指定された取引対象が前記ユーザのお気に入りであることを示すお気に入り情報を含む表示画面を構成する前記画面情報を、前記生成されたリンク情報を当該取引対象に対応させて選択可能に埋め込み生成する画面情報生成手段、
前記生成された画面情報を他のユーザが利用する前記端末装置である閲覧端末装置に送信する画面情報送信手段、
として機能させることを特徴とする画面情報生成処理プログラム。
【請求項１４】
取引対象に関する情報を、ネットワークを介して端末装置に提供する取引処理装置において、
ユーザからのコメントの入力に基づいて前記端末装置から送信されてきた、前記取引対象に対するコメント情報を受信するコメント情報受信手段と、
前記コメントを入力した前記ユーザを識別するためのユーザ識別情報を含むアフィリエイトのリンクを生成するリンク生成手段と、
前記リンクと、前記コメント情報とを含む画面情報を生成する画面情報生成手段と、
前記生成された画面情報を他の前記端末装置に送信する画面情報送信手段と、
を備えることを特徴とする取引処理装置。
【請求項１５】
取引対象に関する情報を、ネットワークを介して端末装置に提供する取引処理装置において、
ユーザからの入力に基づいて前記端末装置から送信されてきた、お気に入りに指定された前記取引対象を示すお気に入り指定情報を受信するお気に入り指定情報受信手段と、
前記ユーザを識別するためのユーザ識別情報を含むアフィリエイトのリンクを生成するリンク生成手段と、
前記リンクと、前記お気に入りに指定された前記取引対象を示す情報とを含む画面情報を生成する画面情報生成手段と、
前記生成された画面情報を他の前記端末装置に送信する画面情報送信手段と、
を備えることを特徴とする取引処理装置。
【発明の詳細な説明】
【技術分野】
【０００１】
本発明は、取引対象に関する情報の表示画面を構成する画面情報に埋め込まれたリンク情報を介して取引に関する行為が行われたことに対する報酬を付与する取引システム、取引処理装置、画面情報生成方法及び画面情報生成処理プログラムの技術分野に関する。
【背景技術】
【０００２】
従来から、パーソナルコンピュータ等の端末装置を用いてインターネット等のネットワークに接続し、サーバ装置等から提供されるＷｅｂページ等を通じて、例えば、商品の購入やサービスの利用予約等の取引を行うことを可能とする取引システムが知られている。
【０００３】
また、かかる取引システムに関連して、Ｗｅｂサイト上に掲載された広告の閲覧者が、その広告主の商品を購入したりサービスの利用予約等を行うと、当該Ｗｅｂサイトの運営者に対して成功報酬を付与する、所謂、アフィリエイトプログラム（アフィリエイトシステム）が知られている。
【０００４】
アフィリエイトプログラムの一例について説明すると、先ず、Ｗｅｂサイト（アフィリエイトサイト）の運営者がアフィリエイトプログラムに予め会員登録して提携会員となり、当該アフィリエイトプログラムのＷｅｂサイトに端末装置を用いてログインし、バナー広告画像やアフィリエイトリンクを取得する。このアフィリエイトリンクには、例えば、広告対象の商品等の購入ページのＵＲＬ（Uniform Resource Locator）と、アフィリエイトリンクであることを示す識別子と、提携会員を識別するための会員ＩＤ（Identification）とが設定されている。そして、提携会員は取得されたバナー広告画像とアフィリエイトリンクとを対応付けて自己のアフィリエイトサイトのＷｅｂページに貼付け設定しておく。
【０００５】
その後、当該Ｗｅｂページの閲覧者がバナー広告画像を選択すると、当該バナー広告画像に対応付けて設定されたアフィリエイトリンクに設定されたＵＲＬを含むリクエストが、端末装置から広告主（または、アフィリエイトプログラム等）のＷｅｂサイトに送信される。そうすると、広告主等のＷｅｂサイトのサーバ装置は、このリクエストに含まれるアフィリエイトリンクに設定された会員ＩＤにより提携会員を認識し、閲覧者による商品の購入等が行われた場合には、その会員ＩＤが示す提携会員に対して紹介料を付与する処理が行われる。
【０００６】
また、特許文献１には、顧客が端末を通じてアフィリエイトサイトの広告掲載用ページの広告のリンク情報に従って広告主の商用サイトにアクセスして行われた商品購入などの行為を顧客行為情報として蓄積管理し、同じ顧客が再度アフィリエイトサイトにアクセスしたときは、顧客行為情報に基づいて内容更新された広告を広告掲載用ページに掲載する発明が開示されている。
【特許文献１】特開２００１−２８３０８３号公報
【発明の開示】
【発明が解決しようとする課題】
【０００７】
しかしながら、上述した従来のシステムでは、Ｗｅｂページに自分用のアフィリエイトリンクを貼付け設定する作業が必要となるため、パーソナルコンピュータ等の操作に慣れていない者や、アフィリエイトプログラムに馴染みが無い者にとっては、この作業等が難しく感じる場合があり、このことが、アフィリエイトプログラムの普及を阻んでいた。
【０００８】
一方、特許文献１に記載の発明では、一旦リンク情報を広告掲載用ページに設定して広告を掲載してしまえば、その後は掲載する広告を更新する手間を省くことはできるが、リンク情報の設定自体はアフィリエイトサイトの運営者が行わなければならないという問題は依然として存在する。
【０００９】
また、ＷｅｂサイトやＷｅｂページを有していない者にとっては、アフィリエイトリンクを設定できる対象が存在しないため、アフィリエイトプログラムを始めること自体が難しい。
【００１０】
本発明は、以上の点に鑑みてなされたものであり、リンク情報が簡単に設定できて、当該リンク情報を介して取引に関する行為が行われた場合等に対する報酬を得ることを可能とするとともに、Ｗｅｂサイトの運営やＷｅｂページの作成等の作業を行わなくても当該報酬を得ることを可能とする取引システム、取引処理装置、画面情報生成方法及び画面情報生成処理プログラムを提供することを目的とする。
【課題を解決するための手段】
【００１１】
上記課題を解決するために、請求項１に記載の発明は、ネットワークに接続可能な端末装置と、取引対象に関する情報の表示画面を構成する画面情報を前記ネットワークを介して前記端末装置に提供するとともに、前記画面情報に埋め込まれたリンク情報を介して取引に関する行為が行われたことに対する報酬を示す報酬情報をデータベースに登録する取引処理装置と、により構成される取引システムであって、前記取引処理装置は、ユーザにより入力された前記取引対象に対するコメント情報を、当該ユーザが利用する前記端末装置であるコメント入力端末装置から受信するコメント情報受信手段と、前記コメント情報を入力した前記ユーザを識別するためのユーザ識別情報を認識するユーザ識別情報認識手段と、前記受信されたコメント情報がコメント対象とする前記取引対象の取引に対応し、且つ前記認識されたユーザ識別情報が示す前記ユーザに対する前記報酬情報を登録するために用いられる前記リンク情報を生成するリンク情報生成手段と、前記コメント情報を含む表示画面を構成する前記画面情報を、前記生成されたリンク情報を当該コメント情報に対応させて選択可能に埋め込み生成する画面情報生成手段と、前記生成された画面情報を他のユーザが利用する前記端末装置である閲覧端末装置に送信する画面情報送信手段と、を備え、前記コメント入力端末装置は、前記ユーザにより入力された前記コメント情報を前記取引処理装置に送信するコメント情報送信手段を備え、前記閲覧端末装置は、前記取引処理装置により送信された前記画面情報を受信する画面情報受信手段と、前記受信された画面情報に基づいて前記埋め込まれたリンク情報を選択可能にして前記コメント情報を画面に表示する表示手段と、を備えることを特徴とする。
【００１２】
この発明によれば、取引処理装置が、ユーザにより入力されたコメント情報がコメント対象とする取引対象取引を行うためのリンク情報であって、且つ当該リンク情報を介してコメント対象の取引に関する行為が行われた場合にコメント情報を入力したユーザに対する報酬情報を登録するためのリンク情報を生成する。そして、取引対象装置は、生成されたリンク情報をユーザにより入力されたコメント情報に対応させて選択可能に画面情報に埋め込み、この画面情報を閲覧端末装置に送信する。そうすると、この画面情報に基づいて閲覧者端末装置により画面表示されたコメント情報を閲覧した他のユーザがリンク情報を選択することにより取引に関する行為が行われると、コメント情報を入力したユーザのユーザ識別情報に対応して報酬情報がデータベースに登録されることとなる。
【００１３】
従って、コメント情報を入力するだけでそのコメント対象の取引対象に対応するリンク情報が埋め込まれた画面情報が生成され、この画面情報が端末装置に提供されるので、ユーザは、Ｗｅｂサイトの運営やＷｅｂページの作成等の作業を行わなくても、コメント情報を閲覧した他のユーザにより取引に関する行為が行われた場合に報酬を得ることができる。
【００１４】
請求項２に記載の発明は、ネットワークに接続可能な端末装置と、取引対象に関する情報の表示画面を構成する画面情報を前記ネットワークを介して前記端末装置に提供するとともに、前記画面情報に埋め込まれたリンク情報を介して取引に関する行為が行われたことに対する報酬を示す報酬情報をデータベースに登録する取引処理装置と、により構成される取引システムであって、前記ユーザによりお気に入りに指定された前記取引対象を示すお気に入り指定情報を、当該ユーザが利用する前記端末装置であるお気に入り指定端末装置から受信するお気に入り指定情報受信手段と、前記お気に入りの指定を行った前記ユーザを識別するためのユーザ識別情報を認識するユーザ識別情報認識手段と、前記受信されたお気に入り指定情報が示す前記取引対象の取引に対応し、且つ前記認識されたユーザ識別情報に対応付けて前記報酬情報を前記データベースに登録するために用いられる前記リンク情報を生成するリンク情報生成手段と、前記指定された取引対象が前記ユーザのお気に入りであることを示すお気に入り情報を含む表示画面を構成する前記画面情報を、前記生成されたリンク情報を当該取引対象に対応させて選択可能に埋め込み生成する画面情報生成手段と、前記生成された画面情報を他のユーザが利用する前記端末装置である閲覧端末装置に送信する画面情報送信手段と、を備え、前記お気に入り指定端末装置は、前記ユーザによりお気に入りに指定された前記取引対象を示す前記お気に入り指定情報を前記取引処理装置に送信するお気に入り指定情報送信手段を備え、前記閲覧端末装置は、前記取引処理装置により送信された前記画面情報を受信する画面情報受信手段と、前記受信された画面情報に基づいて前記埋め込まれたリンク情報を選択可能にして前記お気に入り情報を画面に表示する表示手段と、を備えることを特徴とする。
【００１５】
この発明によれば、取引処理装置が、ユーザのお気に入りに指定された取引対象の取引を行うためのリンク情報であって、且つ当該リンク情報を介して、お気に入りに指定された取引対象の取引に関する行為が行われた場合にお気に入りの指定を行ったユーザに対する報酬情報を登録するためのリンク情報を生成する。そして、取引対象装置は、生成されたリンク情報をユーザにより指定された取引対象に対応させて選択可能に画面情報に埋め込み、この画面情報を閲覧端末装置に送信する。そうすると、この画面情報に基づいて閲覧者端末装置により画面表示されたお気に入り情報を閲覧した他のユーザが取引対象に対応するリンク情報を選択することにより取引に関する行為が行われると、お気に入りの指定を行ったユーザのユーザ識別情報に対応して報酬情報がデータベースに登録されることとなる。
【００１６】
従って、お気に入りの取引対象を指定するだけでその取引対象の取引対象に対応するリンク情報が埋め込まれた画面情報が生成され、この画面情報が端末装置に提供されるので、ユーザは、Ｗｅｂサイトの運営やＷｅｂページの作成等の作業を行わなくても、お気に入り情報を閲覧した他のユーザにより取引に関する行為が行われた場合に報酬を得ることができる。
【００１７】
請求項３に記載の発明は、取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置であって、ユーザにより入力された前記取引対象に対するコメント情報を、当該ユーザが利用する前記端末装置であるコメント入力端末装置から受信するコメント情報受信手段と、前記コメント情報を入力した前記ユーザを識別するためのユーザ識別情報を認識するユーザ識別情報認識手段と、前記受信されたコメント情報がコメント対象とする前記取引対象の取引に対応し、且つ前記認識されたユーザ識別情報が示す前記ユーザに対する前記報酬情報を登録するために用いられる前記リンク情報を生成するリンク情報生成手段と、前記コメント情報を含む表示画面を構成する前記画面情報を、前記生成されたリンク情報を当該コメント情報に対応させて選択可能に埋め込み生成する画面情報生成手段と、前記生成された画面情報を他のユーザが利用する前記端末装置である閲覧端末装置に送信する画面情報送信手段と、を備えることを特徴とする。
【００１８】
この発明によれば、取引処理装置が、ユーザにより入力されたコメント情報がコメント対象とする取引対象取引を行うためのリンク情報であって、且つ当該リンク情報を介してコメント対象の取引に関する行為が行われた場合にコメント情報を入力したユーザに対する報酬情報を登録するためのリンク情報を生成する。そして、取引対象装置は、生成されたリンク情報をユーザにより入力されたコメント情報に対応させて選択可能に画面情報に埋め込み、この画面情報を閲覧端末装置に送信する。そうすると、この画面情報に基づいて閲覧者端末装置により画面表示されたコメント情報を閲覧した他のユーザがリンク情報を選択することにより取引に関する行為が行われると、コメント情報を入力したユーザのユーザ識別情報に対応して報酬情報がデータベースに登録されることとなる。
【００１９】
従って、コメント情報を入力するだけでそのコメント対象の取引対象に対応するリンク情報が埋め込まれた画面情報が生成され、この画面情報が端末装置に提供されるので、ユーザは、Ｗｅｂサイトの運営やＷｅｂページの作成等の作業を行わなくても、コメント情報を閲覧した他のユーザにより取引に関する行為が行われた場合に報酬を得ることができる。
【００２０】
請求項４に記載の発明は、請求項３に記載の取引処理装置において、前記データベースには、前記ユーザにより過去に取引された前記取引対象を示す取引情報が、当該ユーザの前記ユーザ識別情報に対応付けて登録されており、前記リンク情報生成手段は、前記認識されたユーザ識別情報に対応する前記取引情報が示す前記取引対象をコメント対象とする前記コメント情報に対応して前記リンク情報を生成することを特徴とする。
【００２１】
この発明によれば、ユーザが過去に取引した取引対象に対してコメント情報を入力した場合にリンク情報が埋め込まれた画面情報が生成されるので、他のユーザは取引対象に対する的確なコメント情報を閲覧した上で取引を行うことができる。
【００２２】
請求項５に記載の発明は、請求項３または請求項４に記載の取引処理装置において、前記受信されたコメント情報を前記認識されたユーザ識別情報に対応付けて前記データベースに登録するとともに、当該コメント情報がコメント対象とする前記取引対象識別情報を当該コメント情報に対応付けて前記データベースに登録するコメント情報登録手段を更に備え、前記リンク情報生成手段は、前記登録されたコメント情報に対応する前記取引対象識別情報が示す前記取引対象の取引に対応した前記リンク情報を、当該コメント情報に対応するユーザ識別情報を特定可能に生成し、前記画面情報生成手段は、前記登録されたコメント情報の前記画面情報を生成することを特徴とする。
【００２３】
この発明によれば、コメント情報はデータベースに登録され、この登録されたコメント情報等に基づいて画面情報が生成されるので、登録後の状況等に応じた画面情報を端末装置に提供することができる。
【００２４】
請求項６に記載の発明は、取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置であって、前記ユーザによりお気に入りに指定された前記取引対象を示すお気に入り指定情報を、当該ユーザが利用する前記端末装置であるお気に入り指定端末装置から受信するお気に入り指定情報受信手段と、前記お気に入りの指定を行った前記ユーザを識別するためのユーザ識別情報を認識するユーザ識別情報認識手段と、前記受信されたお気に入り指定情報が示す前記取引対象の取引に対応し、且つ前記認識されたユーザ識別情報に対応付けて前記報酬情報を前記データベースに登録するために用いられる前記リンク情報を生成するリンク情報生成手段と、前記指定された取引対象が前記ユーザのお気に入りであることを示すお気に入り情報を含む表示画面を構成する前記画面情報を、前記生成されたリンク情報を当該取引対象に対応させて選択可能に埋め込み生成する画面情報生成手段と、前記生成された画面情報を他のユーザが利用する前記端末装置である閲覧端末装置に送信する画面情報送信手段と、を備えることを特徴とする。
【００２５】
この発明によれば、取引処理装置が、ユーザのお気に入りに指定された取引対象の取引を行うためのリンク情報であって、且つ当該リンク情報を介して、お気に入りに指定された取引対象の取引に関する行為が行われた場合にお気に入りの指定を行ったユーザに対する報酬情報を登録するためのリンク情報を生成する。そして、取引対象装置は、生成されたリンク情報をユーザにより指定された取引対象に対応させて選択可能に画面情報に埋め込み、この画面情報を閲覧端末装置に送信する。そうすると、この画面情報に基づいて閲覧者端末装置により画面表示されたお気に入り情報を閲覧した他のユーザが取引対象に対応するリンク情報を選択することにより取引に関する行為が行われると、お気に入りの指定を行ったユーザのユーザ識別情報に対応して報酬情報がデータベースに登録されることとなる。
【００２６】
従って、お気に入りの取引対象を指定するだけでその取引対象の取引対象に対応するリンク情報が埋め込まれた画面情報が生成され、この画面情報が端末装置に提供されるので、ユーザは、Ｗｅｂサイトの運営やＷｅｂページの作成等の作業を行わなくても、お気に入り情報を閲覧した他のユーザにより取引に関する行為が行われた場合に報酬を得ることができる。
【００２７】
請求項７に記載の発明は、請求項６に記載の取引処理装置において、前記データベースには、前記ユーザにより過去に取引された前記取引対象を示す取引情報が、当該ユーザの前記ユーザ識別情報に対応付けて登録されており、前記リンク情報生成手段は、前記認識されたユーザ識別情報に対応する前記取引情報が示す前記取引対象の前記ユーザによるお気に入りの指定に対応して前記リンク情報を生成することを特徴とする。
【００２８】
この発明によれば、ユーザが過去に取引した取引対象をお気に入りに指定した場合にリンク情報が埋め込まれた画面情報が生成されるので、他のユーザは取引対象に関して的確なお気に入り情報を閲覧した上で取引を行うことができる。
【００２９】
請求項８に記載の発明は、請求項６または請求項７に記載の取引処理装置において、前記データベースには、前記お気に入り情報を管理するためのお気に入り管理情報が、前記ユーザ識別情報に対応付けて登録されており、前記受信されたお気に入り指定情報が示す前記取引対象を識別するための取引対象識別情報を、前記認識されたユーザ識別情報に対応する前記お気に入り管理情報中に登録するお気に入り情報登録手段を更に備え、前記リンク情報生成手段は、前記登録された取引対象識別情報が示す前記取引対象の取引に対応した前記リンク情報を、前記お気に入り管理情報に対応するユーザ識別情報を特定可能に生成し、前記画面情報生成手段は、前記登録された取引対象識別情報が示す前記取引対象に関する前記お気に入り情報の前記画面情報を生成することを特徴とする。
【００３０】
この発明によれば、お気に入りに指定された取引対象の取引対象識別情報がデータベースに登録され、この登録された取引対象識別情報等に基づいて画面情報が生成されるので、登録後の状況等に応じた画面情報を端末装置に提供することができる。
【００３１】
請求項９に記載の発明は、請求項３乃至８に記載の取引処理装置において、前記リンク情報生成手段は、前記認識されたユーザ識別情報を特定可能に前記リンク情報を生成し、前記送信された画面情報を通じて前記他のユーザにより前記リンク情報が選択されたことに基づいて前記閲覧者端末装置から送信された、当該リンク情報を含むアクセス要求情報を受信するアクセス要求情報受信手段と、前記受信されたアクセス要求情報に含まれる前記リンク情報が対応する前記取引対象の取引を行うために必要な表示画面を構成する取引対象画面情報を前記閲覧者端末装置に送信する取引対象画面情報送信手段と、前記送信された取引対象画面情報を受信した前記閲覧者端末装置から前記他のユーザの指令に基づいて送信された取引の要求を示す取引要求情報を受信する取引要求受信手段と、前記受信された取引要求情報に基づいて取引の登録を示す取引登録情報を前記データベースに登録する取引登録手段と、前記登録された取引登録情報が示す取引の確定を認識する取引確定認識手段と、前記アクセス要求情報が受信された場合と、前記取引登録情報が登録された場合と、前記取引の確定が認識された場合と、の少なくともいずれか一つの場合において、当該アクセス要求情報に含まれる前記リンク情報により特定される前記ユーザ識別情報に対応付けて前記報酬情報を登録する報酬情報登録手段と、を更に備えることを特徴とする。
【００３２】
この発明によれば、他のユーザは閲覧者端末装置を用いて取引を行うことができるとともに、他のユーザによりリンク情報が選択された場合、取引の登録が行われた場合、その取引が確定した場合の少なくともいずれかの場合に報酬情報を登録することができる。
【００３３】
請求項１０に記載の発明は、取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置による画面情報生成方法であって、ユーザにより入力された前記取引対象に対するコメント情報を、当該ユーザが利用する前記端末装置であるコメント入力端末装置から受信するコメント情報受信工程と、前記コメント情報を入力した前記ユーザを識別するためのユーザ識別情報を認識するユーザ識別情報認識工程と、前記受信されたコメント情報がコメント対象とする前記取引対象の取引に対応し、且つ前記認識されたユーザ識別情報が示す前記ユーザに対する前記報酬情報を登録するために用いられる前記リンク情報を生成するリンク情報生成工程と、前記コメント情報を含む表示画面を構成する前記画面情報を、前記生成されたリンク情報を当該コメント情報に対応させて選択可能に埋め込み生成する画面情報生成工程と、前記生成された画面情報を他のユーザが利用する前記端末装置である閲覧端末装置に送信する画面情報送信工程と、を備えることを特徴とする。
【００３４】
請求項１１に記載の発明は、取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置による画面情報生成方法であって、前記ユーザによりお気に入りに指定された前記取引対象を示すお気に入り指定情報を、当該ユーザが利用する前記端末装置であるお気に入り指定端末装置から受信するお気に入り指定情報受信工程と、前記お気に入りの指定を行った前記ユーザを識別するためのユーザ識別情報を認識するユーザ識別情報認識工程と、前記受信されたお気に入り指定情報が示す前記取引対象の取引に対応し、且つ前記認識されたユーザ識別情報に対応付けて前記報酬情報を前記データベースに登録するために用いられる前記リンク情報を生成するリンク情報生成工程と、前記指定された取引対象が前記ユーザのお気に入りであることを示すお気に入り情報を含む表示画面を構成する前記画面情報を、前記生成されたリンク情報を当該取引対象に対応させて選択可能に埋め込み生成する画面情報生成工程と、前記生成された画面情報を他のユーザが利用する前記端末装置である閲覧端末装置に送信する画面情報送信工程と、を備えることを特徴とする。
【００３５】
請求項１２に記載の発明は、取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置に含まれるコンピュータを、ユーザにより入力された前記取引対象に対するコメント情報を、当該ユーザが利用する前記端末装置であるコメント入力端末装置から受信するコメント情報受信手段、前記コメント情報を入力した前記ユーザを識別するためのユーザ識別情報を認識するユーザ識別情報認識手段、前記受信されたコメント情報がコメント対象とする前記取引対象の取引に対応し、且つ前記認識されたユーザ識別情報が示す前記ユーザに対する前記報酬情報を登録するために用いられる前記リンク情報を生成するリンク情報生成手段、前記コメント情報を含む表示画面を構成する前記画面情報を、前記生成されたリンク情報を当該コメント情報に対応させて選択可能に埋め込み生成する画面情報生成手段と、前記生成された画面情報を他のユーザが利用する前記端末装置である閲覧端末装置に送信する画面情報送信手段、として機能させることを特徴とする。
【００３６】
請求項１３に記載の発明は、取引対象に関する情報の表示画面を構成する画面情報をネットワークを介して端末装置に提供するとともに、前記画面情報に埋め込まれたリンク情報を介して取引に関する行為が行われたことに対する報酬を示す報酬情報をデータベースに登録する取引処理装置に含まれるコンピュータを、前記ユーザによりお気に入りに指定された前記取引対象を示すお気に入り指定情報を、当該ユーザが利用する前記端末装置であるお気に入り指定端末装置から受信するお気に入り指定情報受信手段、前記お気に入りの指定を行った前記ユーザを識別するためのユーザ識別情報を認識するユーザ識別情報認識手段、前記受信されたお気に入り指定情報が示す前記取引対象の取引に対応し、且つ前記認識されたユーザ識別情報に対応付けて前記報酬情報を前記データベースに登録するために用いられる前記リンク情報を生成するリンク情報生成手段、前記指定された取引対象が前記ユーザのお気に入りであることを示すお気に入り情報を含む表示画面を構成する前記画面情報を、前記生成されたリンク情報を当該取引対象に対応させて選択可能に埋め込み生成する画面情報生成手段、前記生成された画面情報を他のユーザが利用する前記端末装置である閲覧端末装置に送信する画面情報送信手段、として機能させることを特徴とする。
【００３７】
請求項１４に記載の発明は、取引対象に関する情報を、ネットワークを介して端末装置に提供する取引処理装置において、ユーザからのコメントの入力に基づいて前記端末装置から送信されてきた、前記取引対象に対するコメント情報を受信するコメント情報受信手段と、前記コメントを入力した前記ユーザを識別するためのユーザ識別情報を含むアフィリエイトのリンクを生成するリンク生成手段と、前記リンクと、前記コメント情報とを含む画面情報を生成する画面情報生成手段と、前記生成された画面情報を他の前記端末装置に送信する画面情報送信手段と、を備えることを特徴とする。
【００３８】
この発明によれば、取引処理装置が、ユーザにより入力されたコメントに基づいて端末装置から送信されたコメント情報を受信し、当該コメントを入力したユーザのユーザ識別情報を含むアフィリエイトのリンクを生成する。そして、取引対象装置は、生成されたアフィリエイトのリンクと、コメント情報とを含む画面情報生成して、この画面情報を他の端末装置に送信する。そうすると、この画面情報に基づいて他の端末装置により画面表示されたコメント情報を閲覧した他のユーザがアフィリエイトのリンクを選択することにより取引に関する行為が行われると、当該アフィリエイトリンクに含まれるユーザ識別情報が示すユーザ、すなわち、コメントを入力したユーザに対して報酬を付与する。
【００３９】
従って、コメントを入力するだけでアフィリエイトのリンクを含む画面情報が生成され、この画面情報が端末装置に提供されるので、ユーザは、Ｗｅｂサイトの運営やＷｅｂページの作成等の作業を行わなくても、コメントを閲覧した他のユーザにより取引に関する行為が行われた場合にアフィリエイト収入を得ることができる。
【００４０】
請求項１５に記載の発明は、取引対象に関する情報を、ネットワークを介して端末装置に提供する取引処理装置において、ユーザからの入力に基づいて前記端末装置から送信されてきた、お気に入りに指定された前記取引対象を示すお気に入り指定情報を受信するお気に入り指定情報受信手段と、前記ユーザを識別するためのユーザ識別情報を含むアフィリエイトのリンクを生成するリンク生成手段と、前記リンクと、前記お気に入りに指定された前記取引対象を示す情報とを含む画面情報を生成する画面情報生成手段と、前記生成された画面情報を他の前記端末装置に送信する画面情報送信手段と、を備えることを特徴とする。
【００４１】
この発明によれば、取引処理装置が、ユーザのお気に入りに指定された取引対象を示すお気に入り指定情報を受信し、当該お気に入りに指定したユーザのユーザ識別情報を含むアフィリエイトのリンクを生成する。そして、取引対象装置は、生成されたアフィリエイトのリンクと、お気に入りに指定された取引対象を示す情報を含む画面情報生成して、この画面情報を他の端末装置に送信する。そうすると、この画面情報に基づいて他の端末装置によりユーザのお気に入りとして画面表示された取引対象を示す情報を閲覧した他のユーザがアフィリエイトのリンクを選択することにより取引に関する行為が行われると、当該アフィリエイトリンクに含まれるユーザ識別情報が示すユーザ、すなわち、お気に入りを指定したユーザに対して報酬を付与する。
【００４２】
従って、お気に入りの取引対象を指定するだけでアフィリエイトのリンクを含む画面情報が生成され、この画面情報が端末装置に提供されるので、ユーザは、Ｗｅｂサイトの運営やＷｅｂページの作成等の作業を行わなくても、コメントを閲覧した他のユーザにより取引に関する行為が行われた場合にアフィリエイト収入を得ることができる。
【発明の効果】
【００４３】
本発明によれば、コメント情報を入力するだけでそのコメント対象の取引対象に対応するリンク情報が埋め込まれた画面情報が生成され、または、お気に入りの取引対象を指定するだけでその取引対象の取引対象に対応するリンク情報が埋め込まれた画面情報が生成されて、この生成された画面情報が端末装置に提供されるので、ユーザは、Ｗｅｂサイトの運営やＷｅｂページの作成等の作業を行わなくても、コメント情報を閲覧した他のユーザにより取引に関する行為が行われた場合に報酬を得ることができる。
【発明を実施するための最良の形態】
【００４４】
以下、図面を参照して本発明の最良の実施形態について詳細に説明する。なお、以下に説明する実施の形態は、ゴルフ場予約システムに対して本発明を適用した場合の実施形態である。
【００４５】
［１．ゴルフ場予約システムの構成及び機能概要］
先ず、本実施形態に係るゴルフ場予約システムＳの構成及び機能概要について、図１を用いて説明する。
【００４６】
図１は、本実施形態に係るゴルフ場予約システムＳの概要構成の一例を示す図である。
【００４７】
図１に示すように、ゴルフ場予約システムＳは、データベースの一例としての会員情報データベース１０１、会員利用情報データベース１０２、ランキング情報データベース１０３及びゴルフ場情報データベース１０４を備える取引処理装置の一例としてのゴルフ場予約サーバ１と、ゴルフ場端末３−ｊ（ｊ＝１，２・・・ｍ）と、端末装置の一例としてのユーザ端末４−ｋ（ｋ＝１，２・・・ｎ）と、を含んで構成されている。
【００４８】
ゴルフ場予約サーバ１、ゴルフ場端末３−ｊ及びユーザ端末４−ｋは、ネットワークＮＷを介して、例えば、通信プロトコルにＴＣＰ／ＩＰ（Transmission Control Protocol/Internet Protocol）等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００４９】
このような構成のゴルフ場予約システムＳにおいて、ゴルフ場予約サーバ１は、ネットワークＮＷを通じて各種のサービスを提供するサービス提供事業者によりゴルフ場予約サイトを開設するために設置されたサーバ装置である。
【００５０】
このサービス提供事業者は、ゴルフ場提供サービス（取引対象の一例）の提供者から利用予約の受け付けを委託されており、このゴルフ場に関するゴルフ場情報、予約の受け付けを委託している提供枠数、予約状況等はゴルフ場データベース１０４に登録されるようになっている。そして、ゴルフ場予約システムＳは、ネットワークＮＷを介してユーザ端末４−ｋからのリクエストに応じて、ゴルフ場予約サーバ１がゴルフ場の予約登録処理を行うこと等により、ユーザ端末４−ｋを利用するユーザに対してゴルフ場予約サービスを提供している。
【００５１】
このゴルフ場予約サービスを利用するために、ユーザは、ゴルフ場予約システムＳの会員登録手続を行うことにより、当該システムによるゴルフ場予約サービスを利用することが可能になっており（以下、ゴルフ場予約サービスを利用することができるユーザを「会員」と称する）、登録された会員に関する会員情報等は会員情報データベース１０１に登録されるようになっている。
【００５２】
会員によりゴルフ場予約システムＳを利用してゴルフ場の利用予約が行われ、その利用予約が行われたゴルフ場が実際その会員に利用されると、会員が支払った利用代金等に応じたポイントがその会員に付与されるようになっている。そして、会員は、付与されたポイントを、ゴルフ場予約システムＳを利用してゴルフ場の利用予約を行う際における代金の全部または一部に充てたり、当選すると賞品等を獲得することが出来る抽選（くじ引き等）に応募すること等ができるようになっている。このポイントに関する情報も会員情報データベース１０１に登録されるようになっている。
【００５３】
また、ゴルフ場予約システムＳが会員に提供するコンテンツ（サービス）はゴルフ場の利用予約だけではなく、ゴルフ場に対するコメントを投稿したり、好きなゴルフ場や気に入っているゴルフ場等を自己のお気に入りとして登録し、これらの情報を他の会員が閲覧することができるボイスセンターというコンテンツも提供している。
【００５４】
かかるコメント（コメント情報の一例）やお気に入りのゴルフ場を示すお気に入りゴルフ場（お気に入り情報の一例）を会員が閲覧可能とするために、ゴルフ場予約サーバ１は、当該コメントや登録されたお気に入りゴルフ場を表示するＷｅｂページであるボイスセンターページ（画面情報の一例）を生成し（具体的には、そのＨＴＭＬ（Hyper Text Markup Language）データを生成する）、ユーザ端末４−ｋからのリクエストに応じてこのボイスセンターページを当該ユーザ端末４−ｋに送信するようになっている。このボイスセンターページを生成する場合に、ゴルフ場予約サーバ１は、表示されるコメントやお気に入りゴルフ場に対応させてアフィリエイトリンクを当該ページに設定する。
【００５５】
上記ボイスセンターページがユーザ端末４−ｋにより画面に表示されて、コメントやお気に入りゴルフ場が示すゴルフ場の一覧を会員が閲覧して、これらの情報に対応付けられたアフィリエイトリンクを選択すると、このアフィリエイトリンクに対応するゴルフ場（コメントの場合はコメント対象のゴルフ場）の利用予約ページに画面遷移する。そして、この利用予約ページを通じて利用予約が行われると、上記選択されたアフィリエイトリンクに対応する会員、すなわち、コメントを投稿した会員またはお気に入りのゴルフ場を登録した会員に対して上記説明したポイントが付与されるようになっている。
【００５６】
このように、ゴルフ場予約システムＳの会員は、コメントを投稿したり、お気に入りのゴルフ場を登録するだけで、アフィリエイトリンクを介したゴルフ場の利用予約が行われた場合に、そのアフィリエイト報酬をポイントとして獲得することができるようになっている。
【００５７】
上記のコメントやお気に入り情報等は、会員利用情報データベース１０２に登録されるようになっている。なお、コメントを投稿した会員を「コメント投稿者」とも称し、お気に入りのゴルフ場を登録（指定）した会員を「お気に入り登録者」とも称することとする。
【００５８】
次に、ゴルフ場端末３−ｊは、ゴルフ場の従業者等が利用する端末装置であり、例えば、パーソナルコンピュータ等を適用することができる。そして、ゴルフ場端末３−ｊは、ゴルフ場予約サーバ１にアクセスして、ゴルフ場情報データベース１０４に登録された予約状況等を取得し、画面に表示するようになっている。このようにして、ゴルフ場の従業者等は、そのゴルフ場の予約内容等を管理することができるようになっている（例えば、予約内容等を参照したり、予約のキャンセル手続を行う等）。
【００５９】
次に、ユーザ端末４−ｋは、ゴルフ場予約サーバ１にアクセスしてＷｅｂページを取得し画面に表示することにより、ユーザが当該Ｗｅｂページを通じて、ゴルフ場の利用予約、スコアの登録、コメントの投稿やお気に入りのゴルフ場の登録、これらの情報の閲覧等を行うために用いられる端末装置であり、例えば、Ｗｅｂブラウザアプリケーションや電子メールアプリケーション等がインストールされたパーソナルコンピュータ、ＰＤＡ（Personal Digital Assistant）、ＳＴＢ（Set Top Box）、携帯電話機等を適用することができる。
【００６０】
［２．ゴルフ場予約サーバの構成及び機能］
次に、ゴルフ場予約サーバ１の構成及び機能について、図２乃至図７を用いて説明する。
【００６１】
図２は、本実施形態に係るゴルフ場予約サーバ１の概要構成の一例を示すブロック図である。また、図３は、会員情報データベース１０１に登録される情報の内容の一例を示す図である。また、図４は、会員利用情報データベース１０２に登録される情報の内容の一例を示す図である。また、図５（ａ）は、コメント管理情報の構成例を示す図であり、図５（ｂ）は、お気に入りゴルフ場情報の構成例を示す図である。また、図６は、ランキング情報データベース１０３に登録される情報の内容の一例を示す図である。また、図７は、ゴルフ場データベース１０４に登録される情報の内容の一例を示す図である。
【００６２】
図２に示すように、ゴルフ場予約サーバ１は、オペレータ等からの操作指示を受け付け、その指示内容を指示信号としてシステム制御部２０に出力する操作部１１（例えば、キーボード、マウス等）と、文字や画像等の情報を表示する表示部１２（例えば、ＣＲＴ（Cathode Ray Tube）ディスプレイ、液晶ディスプレイ等）と、ネットワークＮＷに接続して、ゴルフ場端末３−ｊ、ユーザ端末４−ｋ等との通信状態を制御する通信部１３と、例えば、フレキシブルディスク、ＣＤ（Compact Disc）、ＤＶＤ（Digital Versatile Disc）等のディスクＤＫからデータ等を読み出す一方、当該ディスクＤＫに対してデータ等を記録するドライブ部１４と、各種プログラム及びデータ等を記憶する記憶部１５（例えば、ハードディスクドライブ等）と、操作部１１〜記憶部１５とシステム制御部２０との間のインタフェース処理を行う入出力インタフェース部１６と、ＣＰＵ（Central Processing Unit）１７、ＲＯＭ（Read Only Memory）１８、ＲＡＭ（Random Access Memory）１９等を備えるシステム制御部２０と、を備え、システム制御部２０と入出力インタフェース部１６とは、システムバス２１を介して接続されている。
【００６３】
記憶部１５には、会員情報データベース１０１、会員利用情報データベース１０２、ランキング情報データベース１０３及びゴルフ場データベース１０４が構築されている。
【００６４】
先ず、図３に示すように、会員情報データベース１０１には、ゴルフ場予約システムＳの会員に関する会員情報が、当該会員を識別するための会員ＩＤ（ユーザ識別情報の一例）に対応付けられて登録されている。具体的に会員情報には、図３に示すように、例えば、会員ＩＤ、ログインするためのパスワード、会員の氏名、郵便番号、住所、電話番号、電子メールアドレス、生年月日、性別、クレジットカードのカード番号及びその有効期限、ニックネーム、確定ポイント及び仮ポイント等が設定される。
【００６５】
ここで、確定ポイント及び仮ポイントは、上述したポイントを示す情報であり、会員がゴルフ場予約システムＳを利用してゴルフ場の利用予約を行った場合に付与されるポイントであるとともにアフィリエイト報酬として付与されるポイントである。会員がゴルフ場の利用予約を行うと、利用代金等に応じた仮ポイントが当該会員に付与されるとともに、アフィリエイトリンクを介して利用予約が行われた場合は、そのアフィリエイトリンクに対応するコメント投稿者やお気に入り登録者にもアフィリエイト報酬として仮ポイントが付与される。その後、利用代金の決済が完了（ゴルフ場予約サーバ１としては、利用予約がキャンセルされることなく予約されたプレー日を迎えた場合に決済が完了したと認識する）してゴルフ場の利用が確定すると、夫々の会員に付与された仮ポイントが夫々確定ポイントに移行する。そして、会員は、この確定ポイントをゴルフ場の利用予約等に充てることができるようになっている。
【００６６】
次に、図４に示すように、会員利用情報データベース１０２には、会員予約状況、プレー履歴、スコア情報、コメント管理情報、カスタマイズ情報等が、会員ＩＤに対応付けて登録されている。
【００６７】
会員予約状況は、会員を単位とするゴルフ場の利用予約の内容、状況等を示す情報である。
【００６８】
そして、この会員予約状況は、例えば、一件毎の予約に対応する予約内容を示す会員予約情報（予約登録情報）が、当該予約に対して割り当てられた予約番号に対応付けて登録されている。会員予約情報は、例えば、予約番号、予約したゴルフ場のゴルフ場ＩＤ（ゴルフ場を識別するための情報）、コース、プレー日、プレー開始時間、予約組数及び人数、料金、予約ポイント、アフィリエイト情報等が設定される。
【００６９】
ここで、予約ポイントは、利用予約を行った会員に対して付与されるポイントである。
【００７０】
また、アフィリエイト情報は、アフィリエイトリンクを介して利用予約が行われた場合に設定される情報であり、アフィリエイトリンクに対応するコメント投稿者やお気に入り登録者の会員ＩＤ（すなわち、当該アフィリエイトリンクがコメントに対応してボイスセンターページに埋め込まれていた場合には、そのコメントを投稿したコメント投稿者の会員ＩＤであり、当該アフィリエイトリンクがお気に入りゴルフ場に対応してボイスセンターページに埋め込まれていた場合には、そのお気に入りゴルフ場を登録したお気に入り登録者の会員ＩＤである）と、報酬として当該コメント投稿者やお気に入り登録者に対して付与される報酬ポイントとが設定される。
【００７１】
プレー履歴（取引情報の一例）は、予約されたゴルフ場においてゴルフをプレー（play）した履歴を示す情報である。この、プレー履歴は、例えば、１回のプレー（１件の予約）毎に、プレー日、プレーしたゴルフ場のゴルフ場ＩＤ、コース、プレーした組数、人数、同伴したゴルフ仲間の氏名、天候、プレーの結果であるスコア情報を識別するためのスコアＩＤ、後述するコメント管理情報（図５（ａ）参照）に付与されたコメント番号等が、履歴ＩＤに対応付けて設定される。
【００７２】
スコア情報は、会員がプレーしたゴルフのスコア等を示す情報であり、１回のプレー毎に、例えば、パット数、ＯＢ数、フェアウェイキープの有無、コメント等が、プレー日、プレーしたゴルフ場のゴルフＩＤ、コース、グリーンの種類、使用ティー、天候、風の強さ、ラウンドメモ、同伴者のゴルフ仲間ＩＤ、各ホールのスコア（打数）が、スコアＩＤに対応付けて設定される。
【００７３】
コメント管理情報は、会員により投稿されたゴルフ場に対するコメントや評価等を管理するための情報であり、図５（ａ）に示すように、コメント毎に一意に付与されるコメント番号、コメントの投稿日、コメント対象のゴルフ場のゴルフ場ＩＤ、コメント者情報、平均スコア、プレー日、評価情報、おすすめ情報、コメントのタイトル、コメント、プレー履歴有無、履歴ＩＤが設定される。
【００７４】
ここで、コメント者情報は、ボイスセンターページにコメントを掲載する場合に、そのコメント投稿者の情報（ニックネーム、所在地、年代、性別、システム利用回数）を表示させるか否かを示す情報である。
【００７５】
また、評価情報は、ゴルフ場に対するコメント投稿者の指標毎（総合、スタッフ接客、食事、コース、コストパフォーマンス、クラブハウス）の評価を５段階で示す情報である。
【００７６】
また、おすすめ情報は、ゴルフ場の利用を推奨する使用目的（コンペ、仲間同士でプレー、接待、カップルでプレー、一人でプレー）や、プレーヤのタイプ（飛ばし屋、初心者、上級者、アスリート系、女性）を示す情報である。
【００７７】
また、コメントは、ユーザにより入力される情報であり、基本的にはゴルフ場でプレーした感想やゴルフ場に対する意見等が入力されるが、その内容は任意であり、例えば、ゴルフ場の説明や解説、論評、宣伝等であっても良い。
【００７８】
プレー履歴有無は、コメントがプレー履歴に対応して投稿されたか否かを示す情報である。換言すれば、プレー履歴有無は、ゴルフ予約システムＳを利用してゴルフ場の利用予約を行い、そのゴルフ場を実際に利用した会員がコメントを投稿したか否かを示す情報である。この、プレー履歴有無が「プレー履歴有り」に設定されている場合は、その対応するプレー履歴ＩＤが設定される。
【００７９】
本システムにおいては、利用予約を行ったゴルフ場に対してコメントを投稿することが可能であるのは勿論のこと、利用予約を行っていないゴルフ場に対してもコメントを投稿することが可能である。ただし、ボイスセンターページにコメントを掲載する際においては、前者のコメントに対してのみアフィリエイトリンクを設定し、後者のコメントに対してはアフィリエイトリンクは設定せず、予約ページへ移行する普通のリンクを設定するようになっている。ここで、投稿されたコメントが前者のコメントであるのか、後者のコメントであるのかを識別する情報が上述したプレー履歴有無である。
【００８０】
このように整理した理由は、前者の場合であれば、実際にゴルフ場を利用した上で的確なコメントが投稿されることが期待され、こうした的確なコメントを投稿した会員に対してアフィリエイト報酬を与えることが妥当であると考えられるためである。ただし、必ずしも、上記のようにしなければならないということではなく、例えば、後者の場合であってもアフィリエイトリンクを設定するようにしても良いし、または、利用予約を行ったゴルフ場に対してのみコメントを投稿することが可能となるようにしても良い。
【００８１】
カスタマイズ情報は、例えば、後述する会員のマイページ３００（図８参照）の表示設定や、お気に入りゴルフ場情報、お気に入り投稿者情報等が設定される。
【００８２】
お気に入りゴルフ場情報は、図５（ｂ）に示すように、会員がお気に入りに登録（指定）したゴルフ場（お気に入りゴルフ場）のゴルフＩＤが会員ＩＤに対応付けて設定される。
【００８３】
本システムにおいては利用予約を行ったゴルフ場をお気に入りに登録することも、利用予約を行っていないゴルフ場をお気に入りに登録することも可能である。そして、ボイスセンターページにお気に入りのゴルフ場を掲載する場合には、上述したコメントの場合とは異なり、いずれの態様でお気に入りが登録されても、アフィリエイトリンクを設定するようになっている。
【００８４】
勿論、必ずしも、上記のようにしなければならないということではなく、例えば、後者の態様でお気に入りに登録されたゴルフ場に対してはアフィリエイトリンクを設定しなくても良いし、または、利用予約を行ったゴルフ場のみお気に入りに登録することが可能となるようにしても良い。
【００８５】
お気に入り投稿者情報は、会員がお気に入りに登録（指定）したコメント投稿者の会員ＩＤが、ユーザの会員ＩＤに対応付けて設定される。
【００８６】
なお、会員情報データベース１０１と会員利用情報データベース１０２に登録される情報は、いずれも会員ＩＤに対応付けられているので、これらのデータベースを統合して、一つのデータベースとして構築しても良い。
【００８７】
次に、図６に示すように、ランキング情報データベース１０３には、コメント書き込み数ランキング情報及びお気に入り投稿者ランキング情報等が登録される。
【００８８】
コメント書き込み数ランキング情報は、ゴルフ場に対するコメントの投稿数によりコメント投稿者を順位付けした情報であり、例えば、その順位に対応付けて、コメント投稿者の会員ＩＤ、コメントの投稿数、ゴルフ情報予約システムＳを利用した利用予約の回数等が設定される。
【００８９】
また、お気に入り投稿者ランキング情報は、コメント投稿者をお気に入りの投稿者として登録された件数によりコメント投稿者を順位付けした情報であり、例えば、その順位に対応付けて、コメント投稿者の会員ＩＤ、お気に入り登録する、ゴルフ情報予約システムＳを利用した利用予約の回数等が設定される。
【００９０】
次に、図７に示すように、ゴルフ場情報データベース１０４には、各ゴルフ情報に関する情報であるゴルフ場情報、提供枠数、ゴルフ場予約状況等がゴルフ場ＩＤに対応付けて登録されている。
【００９１】
ゴルフ場情報には、例えば、ゴルフ場の基本情報（例えば、名称、住所、郵便番号、電話番号、ＦＡＸ番号、電子メールアドレス等）、コースの情報（例えば、コースの説明、コースレート、各ホール毎のヤード数やパット数等）、案内情報、料金、ゴルフ場に対する評価等が設定されるようになっている。
【００９２】
提供枠数は、例えば、ゴルフ場がサービス提供事業者に対して委託している１日の予約可能件数である。
【００９３】
ゴルフ場予約状況は、ゴルフ場を単位としたゴルフ場の利用予約の内容、状況等を示す情報である。このゴルフ場予約状況は、例えば、一件毎の予約に対応する予約内容を示すゴルフ場予約情報が、当該予約に対して割り当てられた予約番号に対応付けて登録されている。ゴルフ場予約情報は、例えば、予約番号、予約した会員の会員ＩＤ、コース、プレー日、プレー開始時間、予約人数、料金等が設定される。
【００９４】
なお、例えば、ゴルフ場予約状況と会員予約状況とを統合して、予約状況としてゴルフ場情報データベース１０４に登録し、会員利用情報データベース１０２には、予約番号のみを登録しておき、当該予約番号において、ゴルフ場情報データベース１０４に登録された予約情報と対応付けるようにしても良い。
【００９５】
また、記憶部１５には、ゴルフ場予約サイトのＷｅｂページを構成するＨＴＭＬデータ、画像データ、音声データ、テキストデータ等が記憶されている。
【００９６】
ここで、上述したボイスセンターページとしては、例えば、ゴルフ場毎のコメントを表示するためのゴルフ場ボイスセンターページ５００（図１０参照）、会員毎のコメントやお気に入りゴルフ場を表示するためのパーソナルボイスセンター・トップページ６００（図１１参照）、会員の投稿したコメントをゴルフ場毎に表示するパーソナルボイスセンター・ゴルフ場毎ページ７００（図１２参照）等があり、これらのページを構成する各ＨＴＭＬデータは、コメント管理情報やお気に入り情報が登録された際に生成され、記憶部１５に予め記憶される。各ＨＴＭＬデータは、例えば、ファイル名及びディレクトリ等からなるパスにより識別可能となっており、当該パスは、ユーザ端末４−ｋがＷｅｂページをリクエストする際におけるリクエストヘッダに設定されるＵＲＬに一意に対応している。
【００９７】
更に、記憶部１５には、所定のオペレーティングシステムの他、ＨＴＴＰ（Hyper Text Transfer Protocol）プロトコルを用いて、ユーザ端末４−ｋ等から送信されたリクエストに応じて、当該記憶部１５に記憶されている各種のデータに基づきＷｅｂページを生成し、当該Ｗｅｂページをユーザ端末４−ｋ等に送信するためのＷＷＷ（World Wide Web）サーバプログラム、ＳＭＴＰ（Simple Mail Transfer Protocol）プロトコルを用いて、他のメールサーバから送信された電子メールを受信する一方、ゴルフ場予約サーバ１において作成された電子メールを、他のメールサーバに送信するためのメールサーバプログラム、会員情報データベース１０１を用いてゴルフ場予約システムＳの会員の会員情報を管理し、会員の登録、退会（登録の削除）、会員情報の変更等の処理を実行するための会員情報管理プログラム、ゴルフ場の利用予約の登録、ゴルフ場の検索等の処理を実行するためのゴルフ場予約管理プログラム、会員によるゴルフのプレー履歴やスコア情報、コメント、お気に入りゴルフ場情報の管理、ランキング情報の管理等の処理を実行するためのゴルフ関連管理プログラム等が記憶されている。
【００９８】
なお、各種プログラム等は、例えば、他のサーバ装置等からネットワークＮＷを介して取得されるようにしても良いし、ＣＤ−ＲＯＭ等のディスクＤＫに記録されてドライブ部１４を介して読み込まれるようにしても良い。
【００９９】
システム制御部２０は、本実施形態において、コメント情報受信手段、ユーザ識別情報認識手段、リンク情報生成手段、画面情報生成手段、画面情報送信手段、コメント情報登録手段、お気に入り指定情報受信手段、お気に入り情報登録手段、アクセス要求情報受信手段、取引対象画面情報送信手段、取引要求受信手段、取引登録手段、取引確定認識手段及び報酬情報登録手段の一例を構成している。
【０１００】
そして、システム制御部２０は、ＣＰＵ１７が、ＲＯＭ１８や記憶部１５に記憶された各種プログラムを読み出し実行することによりゴルフ場予約サーバ１の各部を制御するとともに、上述した各手段等として機能するようになっている。
【０１０１】
この各手段等としての機能について説明すると、システム制御部２０は、ゴルフ場予約サイトにアクセスするユーザ端末４−ｋのユーザがどの会員であるかを識別するためにログイン処理を行い、ユーザ端末４−ｋから会員ＩＤを受信するようになっている。具体的に、システム制御部２０は、ユーザ端末４−ｋから送信されたログインリクエストに応じて、ログインページを当該ユーザ端末４−ｋに送信し、当該ログインページを通じてユーザにより入力された会員ＩＤ及びパスワードをユーザ端末４−ｋから受信するようになっている。そして、システム制御部２０は、受信された会員ＩＤ及びパスワードと会員情報データベース１０１に登録された会員情報とに基づいてパスワード認証を行うようになっている。このパスワード認証が成功すると、システム制御部２０は、例えば、セッション管理等を用いて接続状態を維持するために、セッションごとに固有の識別情報であるセッションＩＤを生成し、受信された会員ＩＤをセッションＩＤと対応付けて保持する。
【０１０２】
また、コメント情報受信手段としてのシステム制御部２０は、後述するコメント投稿ページ１１００（図１６参照）を通じてユーザにより入力された平均スコア、プレー日、評価情報、おすすめ情報、コメントのタイトル、コメント等が入力されることによりユーザ端末４−ｋから送信されたコメント登録リクエスト（ユーザにより入力された情報が設定されている。）を受信するようになっている。
【０１０３】
また、お気に入り指定情報受信手段としてのシステム制御部２０は、後述するゴルフ場ボイスセンターページ５００（図１０参照）を通じてユーザによりお気に入りの登録が指定されると、お気に入りに指定したゴルフ場のゴルフＩＤが設定されたお気に入りゴルフ場登録リクエスト（お気に入り登録要求情報の一例）を受信するようになっている。
【０１０４】
そして、ユーザ識別情報認識手段としてのシステム制御部２０は、コメントを入力したユーザまたはゴルフ場をお気に入りに指定したユーザを特定するために、上記セッション管理により保持した会員ＩＤを取得するようになっている。
【０１０５】
また、コメント情報登録手段としてのシステム制御部２０は、ユーザ端末４−ｋからコメント情報等を受信した場合には、これらの情報に基づいてコメント管理情報（コメント対象のゴルフ場のゴルフＩＤが含まれる）を生成し、当該コメント管理情報を会員ＩＤに対応付けて会員利用情報データベース１０２に登録するようになっている。
【０１０６】
一方、お気に入り情報登録手段としてのシステム制御部２０は、ユーザ端末４−ｋからお気に入り登録要求情報を受信した場合には、当該お気に入り登録要求情報に設定されたゴルフＩＤを、会員ＩＤに対応付けて会員利用情報データベース１０２に登録されているお気に入りゴルフ場情報中に追加登録するようになっている。
【０１０７】
また、リンク情報生成手段としてのシステム制御部２０は、会員利用情報データベース１０２に登録されたコメント管理情報やお気に入りゴルフ場情報に対応するアフィリエイト用のＵＲＬを生成するようになっている。
【０１０８】
具体的に、コメント管理情報に対応するアフィリエイトリンクを生成する場合、システム制御部２０は、アフィリエイトリンクを介したアクセスを制御するためのアフィリエイト制御プログラムの登録位置を示すＵＲＬと、コメント管理情報に設定されたゴルフ場ＩＤ及び会員ＩＤ（これらのＩＤは暗号化されていても良い）とからなるアフィリエイト用のＵＲＬを生成する。
【０１０９】
一方、お気に入りゴルフ場情報に対応するアフィリエイトリンクを生成する場合、システム制御部２０は、アフィリエイト制御プログラムの登録位置を示すＵＲＬと、お気に入りゴルフ場情報に設定されたゴルフ場ＩＤ及び会員ＩＤ（これらのＩＤは暗号化されていても良い）とからなるアフィリエイト用のＵＲＬを生成する。
【０１１０】
なお、アフィリエイトリンク用のＵＲＬは、コメント管理情報に設定されたゴルフ場ＩＤまたはお気に入りゴルフ場情報に設定されたゴルフ場ＩＤが示すゴルフ場の利用予約ページを特定可能となっていれば良いので、アフィリエイトリンク用のＵＲＬには、アフィリエイト制御プログラムの登録位置を示すＵＲＬ及びゴルフ場ＩＤの代わりに、ゴルフ場の利用予約ページの登録場所そのものを示すＵＲＬを設定し、当該ＵＲＬと会員ＩＤとによりアフィリエイト用のＵＲＬを生成しても良い。
【０１１１】
また、画面情報生成手段としてのシステム制御部２０は、アフィリエイトリンクが設定されたボイスセンターページを生成または更新するようになっている。
【０１１２】
具体的に、システム制御部２０は、コメント管理情報やお気に入り情報が登録された場合には、この情報に対応して生成・更新すべきボイスセンターページを判別する。そして、システム制御部２０は、この判別されたページのＨＴＭＬデータが未生成である場合は当該ＨＴＭＬデータを新たに生成し、生成済みである場合は当該ＨＴＭＬデータを更新する。
【０１１３】
ここで、コメント管理情報が登録された場合には、システム制御部２０は、当該コメント管理情報に設定されたタイトルやコメント等を表示可能にして対象ＨＴＭＬデータに埋め込む。次いで、システム制御部２０は、例えば、アフィリエイトリンクをボタン選択させる場合には、formタグを生成して当該タグのaction属性に上記生成されたＵＲＬを設定し、更にformタグの間にsubmitタグを挿入することによりアフィリエイトリンクを生成する。そして、システム制御部２０は、生成されたアフィリエイトリンクをコメント等に対応した近隣に表示されるように対象ＨＴＭＬデータに埋め込むようになっている。
【０１１４】
一方、お気に入り情報が登録された場合には、システム制御部２０は、アンカータグ（<A></A>）を生成して当該タグのhref属性に上記生成されたアフィリエイト用のＵＲＬを設定する。次いで、システム制御部２０は、お気に入り情報に設定されたゴルフ場ＩＤに対応してゴルフ場データベース１０４に登録されているゴルフ場情報からゴルフ場名を取得し、アンカータグの間に挿入することによりアフィリエイトリンクを生成する。そして、システム制御部２０は、生成されたアフィリエイトリンクを対象ＨＴＭＬデータに埋め込むようになっている。
【０１１５】
そして、画面情報送信手段としてのシステム制御部２０は、予め生成された記憶部１５に記憶されているボイスセンターページをユーザ端末４−ｋからのリクエストに応じて当該ユーザ端末４−ｋに送信するようになっている。
【０１１６】
また、アクセス要求受信手段としてのシステム制御部２０は、ボイスセンターページを通じてユーザによりアフィリエイトリンクが選択されたときにユーザ端末４−ｋから送信されるアクセスリクエスト（アクセス要求情報の一例）を受信するようになっている。
【０１１７】
次いで、取引対象画面情報送信手段としてのシステム制御部２０は、受信されたアクセスリクエストに応じて利用予約ページ（取引対象画面情報の一例）をユーザ端末４−ｋに送信するようになっている。具体的に、システム制御部２０は、アクセスリクエストのヘッダに設定されたＵＲＬを取得してアフィリエイトリンクであることを認識すると、当該ＵＲＬからゴルフ場ＩＤ及び会員ＩＤ（アフィリエイトリンクに埋め込まれている会員ＩＤ）を取得する。そして、取得したゴルフ場ＩＤに対応するゴルフ場の利用予約ページと、アフィリエイトリンクを経由したことを示すCookieであるアフィリエイトCookie（例えば、アフィリエイト用のＵＲＬから取得された会員ＩＤが設定されている）とをユーザ端末４−ｋに送信するようになっている。
【０１１８】
また、取引要求受信手段としてのシステム制御部２０は、利用予約ページ等を通じてユーザにより利用予約が選択されたときにユーザ端末４−ｋから送信される予約リクエスト（取引要求情報の一例）を受信するようになっている。このとき、システム制御部２０は、利用予約ページの送信の際に送信したアフィリエイトCookieが予約リクエストのヘッダに設定されている場合には、当該Cookieに設定された会員ＩＤを取得するようになっている。
【０１１９】
次いで、取引登録手段としてのシステム制御部２０は、予約リクエストに基づいて会員予約情報を会員利用データベース１０１に登録するようになっている。このとき、システム制御部２０は、アフィリエイトCookieから会員ＩＤを取得した場合は、会員予約情報中にアフィリエイト情報としてアフィリエイトCookieから取得した会員ＩＤと利用代金等に応じた報酬ポイントを設定するとともに、当該会員ＩＤに対応する会員情報の仮ポイントに報酬ポイントを加算するようになっている。
【０１２０】
そして、取引確定認識手段及び報酬登録手段としてのシステム制御部２０は、会員予約情報に設定されているプレー日当日が到来した場合には、当該会員予約情報に係るゴルフ場の利用が確定したと認識して、会員予約情報に設定されたアフィリエイト情報の会員ＩＤに対応する会員情報の仮ポイントに加算されていた報酬ポイントを確定ポイントに移行登録するようになっている。なお、ゴルフ場の利用が確定する度に報酬ポイントを確定ポイントに移行させるのではなく、例えば、１ヶ月毎にまとめて移行させるようにしても良い。
【０１２１】
なお、ゴルフ場予約サーバ１を、各種データベースに登録されている情報に基づいてゴルフ場の利用予約の登録、ゴルフ場の検索等の利用予約に関する処理や行う予約管理サーバ、会員情報データベース１０１に登録されている会員情報を管理し、会員登録、会員情報の変更等の処理を行う会員情報管理サーバ、プレー履歴やスコア情報、コメント、お気に入りゴルフ場情報の管理、ランキング情報の管理等の処理を行うゴルフ関連管理サーバ、他のサーバにおいて管理されている各種情報等に基づき、ゴルフ場予約サイトとして、各種情報を提供するＷＷＷサーバ等の複数のサーバ装置により構成しても良い。
【０１２２】
［３．マイページ、ボイスセンターページ等のページ構成］
次に、ゴルフ場予約サーバ１によりユーザ端末４−ｋに提供（送信）されるマイページ３００やボイスセンターページ等のページ構成について、図８乃至図１６を用いて説明する。
【０１２３】
［３−１．マイページ］
先ず、マイページ３００のページ構成について説明する。図８は、マイページ３００の表示例を示す図である。
【０１２４】
マイページ３００は、ゴルフ場予約システムＳにおける各会員個人のゴルフに関する情報をその会員自身が確認したり、当該情報を登録、変更、削除等するためのページであり、対象ユーザの会員ＩＤに対応する会員情報、プレー履歴、スコア情報、コメント管理情報、お気に入りゴルフ場情報等に基づいて生成される。
【０１２５】
図８に示すように、マイページ３００は、保有ポイント表示エリア３１０、スコア基本情報表示エリア３２０、メニュー選択エリア３３０、プレー履歴表示エリア３４０及びお気に入りゴルフ場表示エリア３５０により構成されている。
【０１２６】
保有ポイント表示エリア３１０には、ユーザの確定ポイントが表示される。
【０１２７】
スコア基本情報表示エリア３２０には、ユーザ等により過去に登録されたスコア情報に基づいて算出されたユーザのハンディキャップ、スコアの登録件数、ベストスコア、平均スコア等が表示される。
【０１２８】
メニュー選択エリア３３０には、各種手続のためのページや各種の情報を確認するためのページに遷移するためのリンクが表示される。ここで、お気に入り投稿者リンクを選択すると、後述するお気に入り投稿者管理ページ１０００（図１５参照）に遷移する。
【０１２９】
プレー履歴表示エリア３４０には、会員利用情報データベース１０２に登録されているプレー履歴に基づいて、直近のプレー履歴が、例えば、２回分表示される。各プレー履歴は、例えば、プレーした日、プレーしたゴルフ場名リンク３４２、プレーした組数及び人数、同伴者の氏名、天候及び風の強さ、スコア、エントリーされたコンペ（例えば、月間賞）の総合カテゴリにおけるユーザの順位及びエントリー数、ユーザによるゴルフ場の評価及びコメントが表示される。
【０１３０】
会員利用情報データベース１０２に登録されているプレー履歴にコメント番号が設定されている場合は、当該コメント番号に対応付けて登録されているコメント管理情報から必要な情報が取得されてＨＴＭＬデータに埋め込まれ、プレー履歴にコメント番号が設定されていない場合は、コメント投稿リンク３４１がＨＴＭＬデータに埋め込まれる。
【０１３１】
ここで、ユーザによりコメント投稿リンク３４１が選択されると、ゴルフ場に対するコメントを投稿するための後述するコメント投稿ページ１１００（図１６参照）に遷移する。また、ゴルフ場名リンク３４２を選択されると、そのゴルフ場名が示すゴルフ場のコース情報を表示するコースガイドページに遷移する。また、スコアのリンク３４３が選択されると、スコア確認等を表示するページに遷移する。また、コンペのリンク３４４が選択されると、コンペランキングページに遷移する。ここで、スコア情報が登録されていない場合には、スコア及びユーザの順位等は表示されない。
【０１３２】
また、ユーザによりプレー履歴一覧リンク３４５が選択されると全てのプレー履歴を表示するプレー履歴一覧ページに遷移する（表示内容は、プレー履歴表示エリア３４０と同様である）。
【０１３３】
なお、プレー履歴表示エリア３４０またはプレー履歴一覧ページを通じてユーザがコメントを投稿すると、当該コメントに対応したアフィリエイトリンクが生成されることとなる。換言すると、ユーザが利用予約を行い、且つ利用したゴルフ場に対するコメントを投稿すると、アフィリエイトリンクが生成される。
【０１３４】
お気に入りゴルフ場表示エリア３５０には、お気に入りに登録されているゴルフ場のゴルフ場名リンク３５１、所在地、近隣のインターチェンジの名称、提供プラン、予約カレンダーボタン３５２（アフィリエイトリンクではない）、コースガイドボタン３５３、コメント書き込みリンク３５４、プレー回数、平均スコア（平均グロス、スコア登録件数、平均パット数、平均ＯＢ数）が表示される。
【０１３５】
ここで、ユーザによりゴルフ場名のリンク３５１またはコースガイドボタン３５３が選択されると、対応するゴルフ場のコースガイドページに遷移する。また、予約カレンダーボタン３５２が選択されると、利用予約ページに遷移する。また、コメント書き込みリンク３５４が選択されるとコメント投稿ページ１１００に遷移する。
【０１３６】
また、ユーザによりお気に入りゴルフ場一覧リンク３５５が選択されると全てのお気に入りゴルフ場を表示するお気に入りゴルフ場一覧ページに遷移する（表示内容は、お気に入りゴルフ場表示エリア３５０と同様である）。
【０１３７】
なお、お気に入りゴルフ場表示エリア３５０またはお気に入りゴルフ場一覧ページを通じてユーザがコメントを投稿しても、アフィリエイトリンクは生成されず、利用予約ページに遷移するための通常のリンクが生成されることとなる。
【０１３８】
［３−２．ボイスセンター・トップページ］
次に、ボイスセンターのトップページであるボイスセンター・トップページ４００のページ構成について説明する。図９は、ボイスセンター・トップページ４００の表示例を示す図である。
【０１３９】
ボイスセンター・トップページ４００は、ゴルフ場データ、コメント書き込み数ランキング情報、お気に入り投稿者ランキング情報等に基づいて生成されるページである。
【０１４０】
図９に示すように、ボイスセンター・トップページ４００は、絞込み選択エリア４１０、並び替え選択エリア４２０、ゴルフ場一覧表示エリア４３０及び投稿者ランキング表示エリア４４０により構成されている。
【０１４１】
絞込み選択エリア４１０には、ゴルフ場一覧表示エリア４３０に表示させるゴルフ場を絞り込む条件（都道府県、名称の先頭の読み仮名、高速道路、インターチェンジ等で絞込みが可能である）を選択するためのプルダウンメニュー、ボタン、リンク等が表示される。
【０１４２】
並び替え選択エリア４２０には、ゴルフ場一覧表示エリア４３０に表示させるゴルフ場の並び順を決定する条件を選択するためのリンク等が表示される。
【０１４３】
ゴルフ場一覧表示エリア４３０には、絞込み選択エリア４１０における絞込み条件の選択及び並び替え選択エリア４２０における並び替え条件の選択に基づいてゴルフ場の一覧が表示される。具体的に、ゴルフ場一覧表示エリア４３０には、ゴルフ場名リンク４３１、所在地、近隣のインターチェンジ、ゴルフ場に対する総合評価、コメントの投稿数、ヤーデージ・コースレートの登録の有無、コース攻略法の登録の有無、コメント閲覧ボタン４３２及び予約カレンダーボタン４３３が表示される。
【０１４４】
ここで、ユーザによりゴルフ場名ボタン４３１またはコメント閲覧ボタン４３２が選択されると、対応するゴルフ場の後述するゴルフ場ボイスセンターページ５００（図１０参照）に遷移する。また、予約カレンダーボタン４３３が選択されると、対応するゴルフ場の利用予約ページに遷移する。
【０１４５】
投稿者ランキング表示エリア４４０には、コメント書き込みランキング及びお気に入り投稿者ランキングの上位者が表示される。投稿者ランキング表示エリア４４０に対応するＨＴＭＬデータ部分は、ランキング情報データベース１０３に登録されているコメント書き込み数ランキング情報及びお気に入り投稿者ランキング情報に基づいて生成される。
【０１４６】
ここで、ユーザにより書き込みランキングリンク４４１が選択されると、後述するコメント書き込み数ランキングページ９００（図１４（ａ）参照）に遷移する。また、コメント投稿者ニックネームリンク４４２が選択されると、対応するコメント投稿者の後述するパーソナルボイスセンター・トップページ６００（図１１参照）に遷移する。また、お気に入りランキングリンク４４３が選択されると、後述するお気に入り投稿者ランキングページ９５０（図１４（ｂ）参照）に遷移する。また、コメント投稿者ニックネームリンク４４４が選択されると、対応するコメント投稿者のパーソナルボイスセンター・トップページ６００に遷移する。
【０１４７】
［３−３．ゴルフ場ボイスセンターページ］
次に、ゴルフ場ボイスセンターページ５００のページ構成について説明する。図１０は、ゴルフ場ボイスセンターページ５００の表示例を示す図である。
【０１４８】
ゴルフ場ボイスセンターページ５００は、指定されたゴルフ場に対する評価やコメント等を閲覧するためのページであり、対象ゴルフ場のゴルフ場ＩＤに対応するゴルフ場情報や、コメント管理情報のうち、対象ゴルフ場のゴルフ場ＩＤが設定されたコメント管理情報等に基づいて生成される。
【０１４９】
また、ゴルフ場ボイスセンターページ５００は、例えば、ボイスセンター・トップページ４００においてゴルフ場名リンク４３１またはコメント閲覧ボタン４３２が選択された場合、後述するパーソナルボイスセンター・ゴルフ場毎ページ７００（図１２参照）においてゴルフ場名リンク７１１が選択された場合に遷移するページである。
【０１５０】
図１０に示すように、ゴルフ場ボイスセンターページ５００は、お気に入り登録ボタン５１０、ゴルフ場データ表示エリア５２０、評価統計表示エリア５３０、コメント投稿ボタン５４０及び一または複数のコメント表示エリア５５０により構成されている。
【０１５１】
ゴルフ場データ表示エリア５２０には、ゴルフ場の名称、所在地、近隣のインターチェンジ、電話番号等が表示される。
【０１５２】
評価統計表示エリア５３０には、後述するコメント投稿ページ１１００（図１６参照）を通じてコメント投稿者により入力された評価、おすすめ目的、おすすめタイプ等の、例えば最新６ヵ月分の統計が表示される。
【０１５３】
コメント表示エリア５５０には、投稿されたコメントのタイトル、投稿日、投稿したコメント投稿者の情報、おすすめ目的、おすすめタイプ、評価、コメントの抜粋等が表示される。複数のコメント表示エリア５５０は、例えば、投稿日が新しいものから順に表示される。
【０１５４】
ここで、ユーザによりコメント投稿者ニックネームリンク５５１が選択されると、対応するコメント投稿者の後述するパーソナルボイスセンター・トップページ６００（図１１参照）に遷移する。また、詳細リンク５５２が選択されると、コメント全体を表示する後述のコメント詳細ページ８００（図１３参照）に遷移する。
【０１５５】
また、ユーザによりお気に入り登録ボタン５１０が選択されると、現在ゴルフ場ボイスセンターページ５００に表示されているゴルフ場がユーザのお気に入りのゴルフ場として登録される。また、コメント投稿ボタン５４０が選択されると、コメント投稿ページ１１００に遷移する。このコメント投稿ボタン５４０を介してコメントを投稿しても、アフィリエイトリンクは生成されず、利用予約ページに遷移するための通常のリンクが生成されることとなる。
【０１５６】
［３−４．パーソナルボイスセンター・トップページ］
次にパーソナルボイスセンター・トップページ６００のページ構成について説明する。図１１は、パーソナルボイスセンター・トップページ６００の表示例を示す図である。
【０１５７】
パーソナルボイスセンター・トップページ６００は、指定されたコメント投稿者のコメント等を、他のユーザが閲覧するために表示するページであり、指定されたコメント投稿者の会員ＩＤに対応する会員情報、コメント管理情報、お気に入りゴルフ場情報等に基づいて生成される。
【０１５８】
また、パーソナルボイスセンター・トップページ６００は、例えば、ボイスセンター・トップページ４００（図９参照）、ゴルフ場ボイスセンターページ５００（図１１参照）、コメント書き込み数ランキングページ９００（図１４（ａ）参照）、お気に入り投稿者ランキングページ９５０（図１４（ｂ）参照）、お気に入り投稿者管理ページ１０００（図１５参照）において、コメント投稿者ニックネームリンクが選択された場合に遷移するページである。
【０１５９】
図１１に示すように、パーソナルボイスセンター・トップページ６００は、コメント投稿者プロフィール表示エリア６１０、お気に入りゴルフ場表示エリア６２０、投稿数ランキング表示エリア６３０、最新投稿表示エリア６４０、絞込み選択エリア６５０、一または複数のコメント表示エリア６６０及び予約カレンダーボタン６７０により構成されている。
【０１６０】
コメント投稿者プロフィール表示エリア６１０には、コメント投稿者のニックネーム、ゴルフ情報予約システムＳを利用した利用予約の回数、平均スコア、お気に入り登録ボタン６１１が表示される。
【０１６１】
ユーザによりお気に入り登録ボタン６１１が選択されると、対象のコメント投稿者がお気に入り投稿者に登録される。
【０１６２】
お気に入りゴルフ場表示エリア６２０には、コメント投稿者がお気に入りに登録したゴルフ場のゴルフ場名リンク６２１が表示される。ユーザによりゴルフ場名リンク６２１が選択されるとゴルフ場名が示すゴルフ場の利用予約ページに遷移する。このゴルフ場名リンク６２１はアフィリエイトリンクであり、当該リンクに対応付けてアフィリエイト用のＵＲＬが埋め込まれている。すなわち、パーソナルボイスセンター・トップページ６００を見た他のユーザが、このアフィリエイト用のＵＲＬをクリックして予約をすることで、このパーソナルボイスセンター・トップページ６００のコメント投稿者（お気に入りに登録したユーザ）はアフィリエイト収入を得ることができる。
【０１６３】
投稿数ランキング表示エリア６３０には、コメント投稿者が投稿したコメントの多いゴルフ場のゴルフ場名リンク６３１が表示され、ユーザによりゴルフ場名リンク６３１が選択されるとゴルフ場名が示す後述のゴルフ場のパーソナルボイスセンター・ゴルフ場毎ページ７００（図１２参照）に遷移する。
【０１６４】
最新投稿表示エリア６４０には、コメント投稿者により最近コメントが投稿されたゴルフ場のゴルフ場名リンク６４１が表示され、ユーザによりゴルフ場名リンク６４１が選択されるとゴルフ場名が示すゴルフ場のパーソナルボイスセンター・ゴルフ場毎ページ７００に遷移する。
【０１６５】
絞込み選択エリア６５０には、コメント表示エリア６６０にコメントを表示させるゴルフ場を所在地で絞り込むためのプルダウンメニュー、ボタン、リンク等が表示される。
【０１６６】
コメント表示エリア６６０には、コメント投稿者が投稿したコメントのうち、絞込み選択エリア６５０における絞込み条件に対応するゴルフ場の最新のコメントの抜粋が表示される。
【０１６７】
ここで、ユーザによりゴルフ場名リンク６６１が選択されると、ゴルフ場名が示すゴルフ場のパーソナルボイスセンター・ゴルフ場毎ページ７００に遷移する。また、詳細リンク６６２が選択されると、後述するコメント詳細ページ８００（図１３参照）に遷移する。
【０１６８】
各予約カレンダーボタン６７０は、夫々各コメント表示エリア６６０に対応して配置されている。ユーザによりカレンダーボタン６７０が選択されると対応するコメント表示エリア６６０に表示されているゴルフ場の利用予約ページに遷移する。このカレンダーボタン６７０はアフィリエイトリンクであり、当該ボタンに対応付けてアフィリエイト用のＵＲＬが埋め込まれている。すなわち、パーソナルボイスセンター・トップページ６００を見た他のユーザが、このアフィリエイト用のＵＲＬをクリックして予約をすることで、パーソナルボイスセンター・トップページ６００のコメント投稿者はアフィリエイト収入を得ることができる。
【０１６９】
［３−５．パーソナルボイスセンター・ゴルフ場毎ページ］
次に、パーソナルボイスセンター・ゴルフ場毎ページ７００のページ構成について説明する。図１２は、パーソナルボイスセンター・ゴルフ場毎ページ７００の表示例を示す図であり、同図において図１１と同様の要素については同様の符号を付してある。
【０１７０】
パーソナルボイスセンター・ゴルフ場毎ページ７００は、指定されたコメント投稿者の投稿したコメントのうち、更に指定されたゴルフ場に対するコメント等を、他のユーザが閲覧するために表示するページであり、指定されたコメント投稿者の会員ＩＤに対応する会員情報、コメント管理情報（指定されたゴルフ場のゴルフ場ＩＤが設定されているもの）、お気に入りゴルフ場情報等に基づいて生成される。
【０１７１】
また、パーソナルボイスセンター・ゴルフ場毎ページ７００は、例えば、パーソナルボイスセンター・トップページ６００またはパーソナルボイスセンター・ゴルフ場毎ページ７００において、ゴルフ場名リンク６３１、６４１または６６１が選択された場合、または、後述するコメント書き込み数ランキングページ９００、お気に入り投稿者ランキングページ９５０においてゴルフ場名リンクが選択された場合に遷移するページである。
【０１７２】
図１２に示すように、パーソナルボイスセンター・ゴルフ場毎ページ７００は、コメント投稿者プロフィール表示エリア６１０、お気に入りゴルフ場表示エリア６２０、投稿数ランキング表示エリア６３０、最新投稿表示エリア６４０、ゴルフ場名表示エリア７１０、評価表示エリア７２０、コメント表示エリア７３０及び予約カレンダーボタン７４０により構成されている。
【０１７３】
ゴルフ場名表示エリア７１０には、ゴルフ場の名称が表示される。
【０１７４】
評価表示エリア７２０には、コメント投稿者がコメントの投稿とともに登録したに評価のうち、例えば、最新６ヵ月分の平均が表示されるとともに、ゴルフ場のコースの写真画像が表示される。
【０１７５】
コメント表示エリア７３０には、コメント投稿者が対象のゴルフ場に対して投稿した全てのコメントの情報（タイトル、投稿日、コメント）が、例えば、投稿日が新しい順に表示される。
【０１７６】
ユーザにより予約カレンダーボタン７４０が選択されると、コメント対象のゴルフ場の利用予約ページに遷移する。このカレンダーボタン７４０はアフィリエイトリンクであり、当該ボタンに対応付けてアフィリエイト用のＵＲＬが埋め込まれている。
【０１７７】
［３−６．コメント詳細ページ］
次に、コメント詳細ページ８００のページ構成について説明する。図１３は、コメント詳細ページ８００の表示例を示す図である。
【０１７８】
コメント詳細ページ８００は、指定されたコメントの全体を表示するページであり、対応するコメント管理情報、当該コメント管理情報に設定された会員ＩＤに対応する会員情報等に基づいて生成される。
【０１７９】
また、コメント詳細ページ８００は、例えば、ゴルフ場ボイスセンターページ５００、パーソナルボイスセンター・トップページ６００において、詳細ボタンが選択された場合に遷移するページである。
【０１８０】
図１３に示すように、コメント詳細ページ８００は、コメント表示エリア８１０及び予約カレンダーボタン８２０により構成されている。
【０１８１】
コメント表示エリア８１０には、投稿されたコメントのタイトル、投稿日、投稿したコメント投稿者の情報、おすすめ目的、おすすめタイプ、評価及びコメントが表示される。
【０１８２】
ユーザによりカレンダーボタン８２０が選択されると、コメント対象のゴルフ場の利用予約ページに遷移する。このカレンダーボタン８２０もアフィリエイトリンクであり、当該ボタンに対応付けてアフィリエイト用のＵＲＬが埋め込まれている。
【０１８３】
［３−７．コメント書き込み数ランキングページ］
次に、コメント書き込み数ランキングページ９００のページ構成について説明する。図１４（ａ）は、コメント書き込み数ランキングページ９００の表示例を示す図である。
【０１８４】
コメント書き込み数ランキングページ９００は、ゴルフ場に対するコメントの投稿数によりコメント投稿者をランキング表示するページであり、コメント書き込み数ランキング情報、ランキング表示されるコメント投稿者の会員ＩＤに対応するコメント管理情報等に基づいて生成される。
【０１８５】
また、コメント書き込み数ランキングページ９００は、例えば、ボイスセンター・トップページ４００において、書き込みランキングリンク４４１が選択された場合に遷移するページである。
【０１８６】
図１４（ａ）に示すように、コメント書き込み数ランキングページ９００には、コメントの投稿数の多い順に、その順位、コメント投稿者ニックネームリンク９２０、投稿数、システム利用数、最近の高評価コースのゴルフ場名リンク９３０及びコメントが表示される。
【０１８７】
ここで、ユーザによりコメント投稿者ニックネームリンク９２０が選択されると、ニックネームが示すコメント投稿者のパーソナルボイスセンター・トップページ６００に遷移する。また、ゴルフ場名リンク９３０が選択されると、ゴルフ場名が示すゴルフ場について対応するコメント投稿者のパーソナルボイスセンター・ゴルフ場毎ページ７００に遷移する。
【０１８８】
［３−８．お気に入り投稿者ランキングページ］
次に、お気に入り投稿者ランキングページ９５０のページ構成について説明する。図１４（ｂ）は、お気に入り投稿者ランキングページ９５０の表示例を示す図である。
【０１８９】
お気に入り投稿者ランキングページ９５０は、コメント投稿者をお気に入りの投稿者として登録された件数によりコメント投稿者をランキング表示するページであり、お気に入り投稿者ランキング情報、ランキング表示されるコメント投稿者の会員ＩＤに対応するコメント管理情報等に基づいて生成される。
【０１９０】
また、お気に入り投稿者ランキングページ９５０は、例えば、ボイスセンター・トップページ４００において、お気に入りランキングリンク４４３が選択された場合に遷移するページである。
【０１９１】
図１４（ｂ）に示すように、お気に入り投稿者ランキングページ９５０には、お気に入り投稿者に登録された登録件数の多い順に、その順位、コメント投稿者ニックネームリンク９６０、登録数、システム利用数、最近の高評価コースのゴルフ場名リンク９７０及びコメントが表示される。
【０１９２】
ここで、ユーザによりコメント投稿者ニックネームリンク９６０が選択されると、ニックネームが示すコメント投稿者のパーソナルボイスセンター・トップページ６００に遷移する。また、ゴルフ場名リンク９７０が選択されると、ゴルフ場名が示すゴルフ場について対応するコメント投稿者のパーソナルボイスセンター・ゴルフ場毎ページ７００に遷移する。
【０１９３】
［３−９．お気に入り投稿者管理ページ］
次に、お気に入り投稿者管理ページ１０００のページ構成について説明する。図１５は、お気に入り投稿者管理ページ１０００の表示例を示す図であり、同図において図８と同様の要素については同様の符号を付してある。
【０１９４】
お気に入り投稿者管理ページ１０００は、お気に入り投稿者に登録したコメント投稿者を閲覧、削除するための情報であり、対象ユーザの会員ＩＤに対応する会員情報、スコア情報、お気に入り投稿者情報、当該お気に入り投稿者情報に設定されたコメント等後者の会員ＩＤに対応する会員情報、コメント管理情報等に基づいて生成される。
【０１９５】
また、お気に入り投稿者管理ページ１０００は、例えば、マイページ３００において、メニュー選択エリア３３０のお気に入り投稿者リンクが選択された場合に遷移するページである。
【０１９６】
図１５に示すように、お気に入り投稿者管理ページ１０００は、保有ポイント表示エリア３１０、スコア基本情報表示エリア３２０、メニュー選択エリア３３０及びお気に入り投稿者表示エリア１０１０により構成されている。
【０１９７】
お気に入り投稿者表示エリア１０１０には、お気に入りに登録されたコメント投稿者の情報（ニックネーム１０１１、所在地、年代、性別、システム利用回数）、当該コメント投稿者により最新のコメント、及び削除ボタン１０１２が表示される。
【０１９８】
ここで、ユーザによりコメント投稿者ニックネームリンク１０１１が選択されると、ニックネームが示すコメント投稿者のパーソナルボイスセンター・トップページ６００に遷移する。また、削除ボタンが選択１０１２されると、対応するコメント投稿者がお気に入り投稿者から削除される。
【０１９９】
［３−１０．コメント投稿ページ］
次に、コメント投稿ページ１１００のページ構成について説明する。図１６は、コメント投稿ページ１１００の表示例を示す図である。
【０２００】
コメント投稿ページ１１００は、ゴルフ場に対するコメントや評価等を入力するためのページである。
【０２０１】
また、コメント投稿ページ１１００は、例えば、マイページ３００においてコメント投稿リンク３４１が選択された場合、または、ゴルフ場ボイスセンターページ５００においてコメント投稿ボタン５４０が選択された場合に遷移するページである。
【０２０２】
なお、マイページ３００から遷移してコメントを投稿した場合には、当該コメントに対応するアフィリエイトリンクが生成されるが（すなわち、予約やプレーに紐付けられるコメントが投稿された場合には、アフィリエイトリンクが生成されるが）、ゴルフ場ボイスセンターページ５００から遷移してコメントを投稿した場合には、当該コメントに対応するアフィリエイトリンクは生成されない（すなわち、予約やプレーに紐付けられないコメントが投稿された場合には、アフィリエイトリンクは生成されない）。
【０２０３】
図１５に示すように、コメント投稿ページ１１００は、コメント者情報表示選択エリア１１１０、コメント者名表示エリア１１２０、スコア入力エリア１１３０、プレー日選択エリア１１４０、評価選択エリア１１５０、おすすめ選択エリア１１６０、タイトル入力エリア１１７０、コメント入力エリア１１８０及び投稿ボタン１１９０により構成されている。
【０２０４】
コメント者情報表示選択エリア１１１０には、ボイスセンターページにコメントを掲載する場合に、そのコメント投稿者の情報を掲載するか否かを選択するためのチェックボックスが表示される。
【０２０５】
コメント者名表示エリア１１２０には、コメントを投稿するユーザのニックネームが表示される。
【０２０６】
スコア入力エリア１１３０には、コメント対象のゴルフ場でプレーしたときのスコアを入力するための入力フォームが表示され、プレー日選択エリア１１４０には、プレーした年月日を選択するためのプルダウンメニューが表示される。
【０２０７】
評価選択エリア１１５０には、指標毎に５段階評価でゴルフ場に対する評価を選択するためのラジオボタンが表示され、おすすめ選択エリア１１６０には、おすすめの使用目的やプレーヤのタイプを選択するためのチェックボックスが表示される。
【０２０８】
タイトル入力エリア１１７０には、コメントのタイトルを入力するための入力フォームが表示され、コメント入力エリア１１８０には、コメント本文を入力するための入力フォームが表示される。
【０２０９】
投稿ボタン１１９０がユーザにより選択されると、コメント投稿ページ１１００によりユーザに入力・選択された内容がコメント管理情報として会員利用データベース１０２に登録される。
【０２１０】
［４．ゴルフ場予約システムの動作］
次に、ゴルフ場予約システムＳの動作について説明する。
【０２１１】
［４−１．動作の概要］
はじめに、コメントの投稿やお気に入りゴルフ場の登録が行われた後、アフィリエイトリンクを介して利用予約が行われてコメント投稿者やお気に入り登録者に対する報酬ポイントが確定するまでのゴルフ場予約システムＳ全体の動作の概要について、図１７を用いて説明する。
【０２１２】
図１７は、本実施形態に係るゴルフ場予約システムＳにおける処理の流れの一例を示すシーケンス図である。
【０２１３】
なお、以下に説明する２つのユーザ端末４−ｋのうち、コメント投稿者またはお気に入り登録者が利用する端末装置をユーザ端末４−１とし、投稿されたコメントや登録されたお気に入りゴルフ場の閲覧を行う閲覧者が利用する端末装置をユーザ端末４−２とする。
【０２１４】
先ず、ユーザ端末４−１からゴルフ場予約サーバ１に送信されたログインリクエストを契機として、図１７に示すように、ユーザ端末４−１とゴルフ場予約サーバ１との間でログイン処理が行われる（ステップＳ１）。具体的に、ゴルフ場予約サーバ１からユーザ端末４−１にログインページが送信され、当該ログインページを通じてコメント投稿者またはお気に入り登録者により入力された会員ＩＤ及びパスワードがユーザ端末４−１からゴルフ場予約サーバ１に送信される。そして、ゴルフ場予約サーバ１においてパスワード認証を実行し、このパスワード認証が成功すると、受信されたセッション管理により受信された会員ＩＤを保持する。
【０２１５】
次いで、ゴルフ場予約サーバ１は、ユーザ端末４−１からのリクエストに応じて、マイページ３００またはボイスセンターページをユーザ端末４−１に送信し（ステップＳ２）、ユーザ端末４−１においてマイページ３００が画面に表示される。
【０２１６】
コメント投稿者またはお気に入り登録者がユーザ端末４−１を操作し、ゴルフ場を指定してコメントを入力し、あるいはお気に入りに登録したいゴルフ場を指定すると（ステップＳ３）、ユーザ端末４−１は、コメント登録リクエストまたはお気に入りゴルフ場登録リクエストをゴルフ場予約サーバ１に送信する（ステップＳ４）。
【０２１７】
リクエストを受信したゴルフ場予約サーバ１は、当該リクエストに基づきコメント管理情報またはお気に入りゴルフ場情報を、セッション管理で保持している会員ＩＤに対応付けて会員利用情報データベース１０２に登録する（ステップＳ５）。
【０２１８】
次いで、ゴルフ場予約サーバ１は、登録されたコメント管理情報またはお気に入りゴルフ場情報、当該情報に対応する会員ＩＤ及びゴルフ場ＩＤに基づいてアフィリエイトリンクを生成する（ステップＳ６）。
【０２１９】
そして、ゴルフ場予約サーバ１は、登録されたコメント管理情報に設定されたコメント等の情報やお気に入りゴルフ場情報を掲載すべきボイスセンターページを生成等して、掲載すべき情報及びアフィリエイトリンクを当該ページに埋め込み記憶部１５に登録し、ここで一旦は処理を終了させる（ステップＳ７）。
【０２２０】
その後、ユーザ端末４−２からゴルフ場予約サーバ１に送信されたログインリクエストを契機として、ユーザ端末４−２とゴルフ場予約サーバ１との間でログイン処理が行われる（ステップＳ８）。
【０２２１】
次いで、ゴルフ場予約サーバ１は、ユーザ端末４−１からのリクエストに応じて、ボイスセンターページをユーザ端末４−２に送信し（ステップＳ９）、ユーザ端末４−２においてボイスセンターページが画面に表示される。
【０２２２】
そして、閲覧者は、ユーザ端末４−１のユーザのコメントやお気に入りゴルフ場を閲覧し、予約したいと思ったゴルフ場（コメント対象のゴルフ場またはお気に入りのゴルフ場）に対応する予約カレンダーボタンまたはリンクを選択すると（ステップＳ１０）、ユーザ端末４−２は、当該選択された予約ボタンまたはリンクに対応付けられたアフィリエイト用のＵＲＬをリクエストヘッダに設定したアクセスリクエストをゴルフ場予約サーバ１に送信する（ステップＳ１１）。
【０２２３】
アクセスリクエストを受信したゴルフ場予約サーバ１は、そのリクエストヘッダに設定されたＵＲＬからゴルフ場ＩＤ及び会員ＩＤを取得し、当該ゴルフ場ＩＤに対応する利用予約ページをユーザ端末４−２に送信するとともに、アフィリエイトCookieをユーザ端末４−２に送信する（ステップＳ１２）。
【０２２４】
ユーザ端末４−２は、受信された利用予約ページを画面に表示するとともに、アフィリエイトCookieを保存する。そして、ユーザの操作により予約ボタン等が選択されると、ユーザ端末４−２は、予約リクエストをゴルフ場予約サーバ１に送信するとともに、記憶しておいたアフィリエイトCookieをゴルフ場予約サーバ１に送信する（ステップＳ１３）。
【０２２５】
予約リクエスト及びアフィリエイトCookieを受信したゴルフ場予約サーバ１は、アフィリエイトCookieに基づいて会員予約情報にアフィリエイト情報を設定した上で、当該会員予約情報を会員利用情報データベース１０２に登録し、ここでまた一旦処理を終了させる（ステップＳ１４）。この会員予約情報の登録によりゴルフ場の利用予約が一度成立する。
【０２２６】
その後、登録された会員予約情報について、予約されたプレー日が到来すると、ゴルフ場予約サーバ１は、当該予約に基づくゴルフ場の利用が確定したと認識する（ステップＳ１５）。
【０２２７】
そうすると、ゴルフ場予約サーバ１は、当該会員予約情報に設定されたアフィリエイト情報に基づいて、ユーザ端末４−１のユーザに対する報酬ポイントを確定ポイントとして当該ユーザの会員情報中に加算して確定ポイントを更新登録する（ステップＳ１６）。
【０２２８】
［４−２．コメント投稿時における動作］
次に、コメントの投稿が行われる場合の動作について（図１７のステップＳ３〜Ｓ７）、図１８を用いて説明する。
【０２２９】
図１８は、本実施形態に係るゴルフ場予約サーバ１のシステム制御部２０のコメント登録処理における処理の流れの一例を示すフローチャートである。
【０２３０】
ユーザはユーザ端末４−ｋを用いてゴルフ場予約システムＳにログインしており、当該ユーザ端末４−ｋの画面にはユーザのマイページ３００（図８参照）またはプレー履歴一覧ページが表示されている。
【０２３１】
ここで、ユーザが、画面に表示されているコメント投稿リンクのうち、コメントを投稿したいゴルフ場のコメント投稿リンクを選択すると、ユーザ端末４−ｋは、選択されたゴルフ場のゴルフＩＤが設定されたコメント投稿ページリクエストをゴルフ場予約サーバ１に送信する。
【０２３２】
そうすると、ゴルフ場予約サーバ１のシステム制御部２０は、図１８に示すように、コメント投稿ページリクエストを受信し（ステップＳ５１）、コメント投稿ページ１１００（図１６参照）をユーザ端末４−ｋに送信する（ステップＳ５２）。
【０２３３】
コメント投稿ページ１１００を受信したユーザ端末４−ｋは、当該ページを画面に表示する。ここで、ユーザがユーザ端末４−ｋして、少なくともゴルフ場に対する評価を選択するとともに、ゴルフ場に対するコメントのタイトル及びコメントの本文を入力して、コメント投稿ボタン１１９０を選択すると、ユーザ端末４−ｋは、当該ページにおいて選択・入力された内容を設定したコメント登録リクエストをゴルフ場予約サーバ１に送信する。
【０２３４】
コメント登録リクエストを受信したゴルフ場予約サーバ１のシステム制御部２０は（ステップＳ５３）、セッション管理からユーザの会員ＩＤを取得して（ステップＳ５４）、コメント管理情報を会員利用情報データベース１０２に登録する（ステップＳ５５）。具体的に、システム制御部２０は、コメント登録リクエストに設定された内容に基づいてコメント管理情報を生成する。そして、システム制御部２０は、コメント番号を新たに割り当て、コメント管理情報中に設定するとともに、今日の日付を投稿日として設定する。また、システム制御部２０は、セッション管理から取得された会員ＩＤ、コメント投稿ページリクエストに設定されたゴルフ場ＩＤをコメント管理情報中に設定する。更に、システム制御部２０は、コメント管理情報中の履歴有無を「プレー履歴有り」に設定するとともに、対応するプレー履歴の履歴ＩＤを設定する。最後に、システム制御部２０は、セッション管理から取得された会員ＩＤに対応付けてコメント管理情報を登録する。
【０２３５】
そして、システム制御部２０は、アフィリエイトリンクを生成する（ステップＳ５６）。具体的に、システム制御部２０は、アフィリエイト制御プログラムの登録位置を示すＵＲＬと、コメント管理情報に設定されたゴルフ場ＩＤ及び会員ＩＤとからなるアフィリエイト用のＵＲＬを生成する。次いで、システム制御部２０は、formタグを生成して当該タグのaction属性に上記生成されたＵＲＬを設定し、更にformタグの間にsubmitタグを挿入してアフィリエイトリンクを生成する。
【０２３６】
次に、システム制御部２０は、登録されたコメント管理情報に対応して生成、更新が必要なボイスセンターページを判別する（ステップＳ５７）。具体的に、システム制御部２０は、コメントを掲載し且つアフィリエイトリンクを設定すべきパーソナルボイスセンター・トップページ６００（会員ＩＤに対応するページ：図１１参照）、パーソナルボイスセンター・ゴルフ場毎ページ７００（会員ＩＤ及びゴルフ場ＩＤに対応するページ：図１２参照）及びコメント詳細ページ（会員ＩＤに対応するページ：図１３参照）を生成、更新すべきであると判別する。
【０２３７】
そして、システム制御部２０は、生成、更新が必要なボイスセンターページのうち、一つのページを特定する（ステップＳ５８）。
【０２３８】
次いで、システム制御部２０は、特定されたページが生成済みであるか否かを、記憶部１５を参照することにより判定し（ステップＳ５９）、既に生成済みである場合には（ステップＳ５９：ＹＥＳ）、ステップＳ６１に遷移する。
【０２３９】
一方、特定されたページが未生成である場合には（ステップＳ５９：ＮＯ）、システム制御部２０は、当該ページを生成する（ステップＳ６０）。具体的に、システム制御部２０は、例えば、特定されたページの種類に対応して予め記憶部１５に記憶してある原型となるＨＴＭＬデータを取得し、このＨＴＭＬデータを解析しつつ、必要なデータを各種データベースから取得して当該ＨＴＭＬデータに埋め込む。そして、システム制御部２０は、特定されたページを生成したら、ステップＳ６１に移行する。
【０２４０】
ステップＳ６１において、システム制御部２０は、特定されたページのＨＴＭＬデータの所定位置に、コメント管理情報に設定されたコメント等の情報を埋め込む。
【０２４１】
次いで、システム制御部２０は、コメント等を埋め込んだ位置の近隣の対応する箇所に、上記生成したアフィリエイトリンクを埋め込む（ステップＳ６２）。
【０２４２】
こうして、一つのページの生成または更新が終了すると、システム制御部２０は、生成、更新が必要なボイスセンターページを全て生成または更新したか否かを判定し（ステップＳ６３）、まだ生成、更新が必要なボイスセンターページが存在する場合は（ステップＳ６３：ＮＯ）、ステップＳ５８に移行して生成、更新を行い、生成、更新が必要なボイスセンターページが存在しない場合は（ステップＳ６３：ＹＥＳ）、処理を終了する。
【０２４３】
なお、この後、システム制御部２０は、アフィリエイトリンクを設定する必要のないページ（例えば、マイページ３００、ゴルフ場ボイスセンターページ５００等）を生成、更新する。
【０２４４】
［４−３．お気に入りゴルフ場登録時における動作］
次に、お気に入りゴルフ場の登録が行われる場合の動作について（図１７のステップＳ３〜Ｓ７）、図１９を用いて説明する。
【０２４５】
図１９は、本実施形態に係るゴルフ場予約サーバ１のシステム制御部２０のお気に入りゴルフ場登録処理における処理の流れの一例を示すフローチャートであり、同図において図１８と同様の要素については同様の符号を付してある。
【０２４６】
ユーザはユーザ端末４−ｋを用いてゴルフ場予約システムＳにログインしており、当該ユーザ端末４−ｋの画面には、ゴルフ場ボイスセンターページ５００（図１０参照）が表示されている。
【０２４７】
ここで、ユーザが、画面に表示されているお気に入り登録ボタン５１０を選択すると、ユーザ端末４−ｋは、選択されたゴルフ場のゴルフＩＤが設定されたお気に入りゴルフ場登録リクエストをゴルフ場予約サーバ１に送信する。
【０２４８】
そうすると、ゴルフ場予約サーバ１のシステム制御部２０は、図１８に示すように、お気に入りゴルフ場登録リクエストを受信し（ステップＳ８１）、セッション管理からユーザの会員ＩＤを取得する（ステップＳ５４）。
【０２４９】
次いで、システム制御部２０は、取得された会員ＩＤに対応付けて会員利用情報データベース１０２に登録されているお気に入りゴルフ場情報中に、お気に入りゴルフ場登録リクエストに設定されたゴルフ場ＩＤを追加登録する（ステップＳ８２）。
【０２５０】
そして、システム制御部２０は、アフィリエイトリンクを生成する（ステップＳ８３）。具体的に、システム制御部２０は、コメント投稿時の場合（図１８参照）と同様にアフィリエイト用ＵＲＬを生成するとともに、アンカータグを生成して当該タグのhref属性に上記生成されたアフィリエイト用のＵＲＬを設定する。最後に、システム制御部２０は、お気に入り情報に設定されたゴルフ場ＩＤに対応してゴルフ場データベース１０４に登録されているゴルフ場情報からゴルフ場名を取得し、アンカータグの間に挿入してアフィリエイトリンクを生成する。
【０２５１】
次いで、システム制御部２０は、登録されたお気に入りゴルフ場情報に対応して生成、更新が必要なボイスセンターページを判別する（ステップＳ８４）。具体的に、システム制御部２０は、お気に入りゴルフ場を掲載し且つアフィリエイトリンクを設定すべきパーソナルボイスセンター・トップページ６００（会員ＩＤに対応するページ：図１２参照）、または、パーソナルボイスセンター・ゴルフ場毎ページ７００（会員ＩＤに対応するページ：図１３参照）を生成、更新すべきであると判別する。
【０２５２】
そして、システム制御部２０は、生成、更新が必要なボイスセンターページのうち、一つのページを特定する（ステップＳ５８）。
【０２５３】
次いで、システム制御部２０は、特定されたページが生成済みであるか否かを判定し（ステップＳ５９）、既に生成済みである場合には（ステップＳ５９：ＹＥＳ）、ステップＳ８５に遷移し、特定されたページが未生成である場合には（ステップＳ５９：ＮＯ）、当該ページを生成した上で（ステップＳ６０）、ステップＳ８５に移行する。
【０２５４】
ステップＳ８５において、システム制御部２０は、特定されたページのＨＴＭＬデータの所定位置に、上記生成したアフィリエイトリンクを埋め込む。
【０２５５】
次いで、システム制御部２０は、生成、更新が必要なボイスセンターページを全て生成または更新したか否かを判定し（ステップＳ６３）、まだ生成、更新が必要なボイスセンターページが存在する場合は（ステップＳ６３：ＮＯ）、ステップＳ５８に移行し、生成、更新が必要なボイスセンターページが存在しない場合は（ステップＳ６３：ＹＥＳ）、処理を終了する。
【０２５６】
なお、この後、システム制御部２０は、アフィリエイトリンクを設定する必要のないページ（例えば、マイページ３００等）を生成、更新する。
【０２５７】
［４−４．アフィリエイトリンク選択時における動作］
次に、アフィリエイトリンクが選択された場合の動作について（図１７のステップＳ１０〜Ｓ１２）、図２０を用いて説明する。
【０２５８】
図２０は、本実施形態に係るゴルフ場予約サーバ１のシステム制御部２０のアフィリエイト制御処理における処理の流れの一例を示すフローチャートである。
【０２５９】
ユーザはユーザ端末４−ｋを用いてゴルフ場予約システムＳにログインしており、当該ユーザ端末４−ｋの画面には、パーソナルボイスセンター・トップページ６００（図１１参照）、パーソナルボイスセンター・ゴルフ場毎ページ７００（図１２参照）、または、コメント詳細ページ８００（図１３参照）が表示されている。
【０２６０】
ここで、ユーザが、画面に表示されているアフィリエイトリンク（お気に入りゴルフ場６２０のゴルフ場名リンク６２１、または、コメントに対応する予約カレンダーボタン６７０、７４０または８２０）を選択すると、ユーザ端末４−ｋは、選択されたアフィリエイトリンクに対応付けられたＵＲＬを設定したアクセスリクエストをゴルフ場予約サーバ１に送信する。
【０２６１】
一方、ユーザが他のリンクやボタン等を選択した場合には、ユーザ端末４−ｋは、アフィリエイト用のＵＲＬが設定されていない他のリクエストをゴルフ場予約サーバ１に送信する。
【０２６２】
そうすると、ゴルフ場予約サーバ１のシステム制御部２０は、図２０に示すように、何らかのリクエストを受信する（ステップＳ１０１）。
【０２６３】
次いで、システム制御部２０は、受信されたリクエストにアフィリエイト用のＵＲＬが設定されているか否かを、例えば、リクエストヘッダに設定されたＵＲＬにアフィリエイトであることを示す識別子が含まれているか否かにより判定し（ステップＳ１０２）、アフィリエイト用のＵＲＬが設定されていない場合は（ステップＳ１０２：ＮＯ）、アフィリエイト制御処理を終了して、リクエストに応じた処理を実行する。
【０２６４】
一方、アフィリエイト用のＵＲＬが設定されている場合は（ステップＳ１０２：ＹＥＳ）、システム制御部２０は、当該ＵＲＬからゴルフ場ＩＤ及び会員ＩＤを取得する（ステップＳ１０３）。
【０２６５】
次いで、システム制御部２０は、セッション管理から会員ＩＤを取得する（ステップＳ１０４）。
【０２６６】
そして、システム制御部２０は、アフィリエイト用のＵＲＬから取得された会員ＩＤとセッション管理から取得された会員ＩＤとが一致するか否かを判定し（ステップＳ１０５）、一致しない場合は（ステップＳ１０５：ＮＯ）、ステップＳ１０６に移行し、一致する場合は（ステップＳ１０５：ＹＥＳ）、ステップＳ１０７に移行する。つまり、システム制御部２０は、アフィリエイトリンクを選択したユーザ自身が、当該アフィリエイトリンクに対応するコメント投稿者またはお気に入り登録者である場合には、その利用予約に対してユーザに報酬ポイントが付与されないようアフィリエイトCookieの送信を制御するために、この判定を行うのである。
【０２６７】
会員ＩＤが一致しない場合、システム制御部２０は、ステップＳ１０６において、ゴルフ場ＩＤが示すゴルフ場の利用予約ページをユーザ端末４−ｋに送信するとともに、アフィリエイトCookieをユーザ端末４−ｋに送信する。具体的に、システム制御部２０は、アフィリエイト用ＵＲＬから取得された会員ＩＤをCookieに設定するとともに、３０日後の日付をCookieの有効期限に設定し、アフィリエイトCookieを生成する。そして、システム制御部２０は、利用予約ページを送信するためのレスポンスヘッダにアフィリエイトCookieを設定して、利用予約ページとともにユーザ端末４−ｋに送信すると、処理を終了する。
【０２６８】
利用予約ページ及びアフィリエイトCookieを受信したユーザ端末４−ｋは、利用予約ページを画面に表示するとともに、アフィリエイトCookieを保存する。
【０２６９】
一方、会員ＩＤが一致する場合、システム制御部２０は、ステップＳ１０７において、利用予約ページのみをユーザ端末４−ｋに送信して、処理を終了する。
【０２７０】
［４−５．利用予約時における動作］
次に、ゴルフ場の利用予約が行われる場合の動作について（図１７のステップＳ１３〜Ｓ１４）、図２１を用いて説明する。
【０２７１】
図２１は、本実施形態に係るゴルフ場予約サーバ１のシステム制御部２０の利用予約処理における処理の流れの一例を示すフローチャートである。
【０２７２】
ユーザはユーザ端末４−ｋを用いてゴルフ場予約システムＳにログインしており、当該ユーザ端末４−ｋの画面には利用予約ページが表示される。その後、ユーザの操作により、プレー日、利用する組数、人数等が選択されると、当該操作に応じてユーザ端末４−ｋからゴルフ場予約サーバ１にリクエストが送信され、このリクエストに応じてゴルフ場の利用予約の手続を行うためのページがゴルフ場予約サーバ１からユーザ端末４−ｋに送信される。
【０２７３】
そして、ユーザが利用予約を確定するための予約ボタンを選択すると、ユーザ端末４−ｋは、利用予約を行うゴルフ場のゴルフ場ＩＤ、プレー日等が設定された予約リクエストをゴルフ場予約サーバ１に送信する。
【０２７４】
そうすると、ゴルフ場予約サーバ１のシステム制御部２０は、図２１に示すように、予約リクエストを受信する（ステップＳ１５１）。
【０２７５】
次いで、システム制御部２０は、セッション管理からユーザの会員ＩＤを取得し（ステップＳ１５２）、ゴルフ場予約情報をゴルフ場データベース１０４に登録する（ステップＳ１５３）。具体的に、システム制御部２０は、予約リクエストに設定された情報、会員ＩＤ等に基づいてゴルフ場予約情報を生成する。そして、システム制御部２０は、新たに予約番号を生成し、ゴルフ場予約情報中に設定する。最後に、システム制御部２０は、予約リクエストに設定されたゴルフ場ＩＤに対応付けてゴルフ場予約情報を登録する。
【０２７６】
そして、システム制御部２０は、予約リクエストに設定された情報、会員ＩＤ、予約番号等に基づいて会員予約情報を生成する（ステップＳ１５４）。
【０２７７】
次いで、システム制御部２０は、予約リクエストにアフィリエイトCookieが設定されているか否かを判定する（ステップＳ１５５）。
【０２７８】
ここで、上述したアフィリエイト制御処理（図２０）において、ユーザ端末４−ｋにアフィリエイトCookieが保存され、当該ユーザ端末４−ｋの画面に表示された利用予約ページからそのまま予約の確定に進んだ場合には、保存されたアフィリエイトCookieが予約リクエストに設定される。また、利用予約ページに進んでから一度利用予約を中断した場合であっても、３０日間はユーザ端末４−ｋにアフィリエイトCookieが保存されているので、その間に利用予約が行われた場合にも、アフィリエイトCookieが予約リクエストに設定される。こうした場合には、システム制御部２０は、予約リクエストにアフィリエイトCookieが設定されていると判定し（ステップＳ１５５：ＹＥＳ）、ステップＳ１５８に移行する。
【０２７９】
一方、アフィリエイトリンクを介さずに利用予約ページに進んだ場合（例えば、ゴルフ場の検索ページからユーザの条件に合うゴルフ場を検索して利用予約を行った場合等）には、ユーザ端末４−ｋにはアフィリエイトCookieは保存されない。また、ユーザ端末４−ｋに一度アフィリエイトCookieが保存されても、３０日が経過した場合には、アフィリエイトCookieは削除される。こうした場合には、システム制御部２０は、予約リクエストにアフィリエイトCookieが設定されていないと判定し（ステップＳ１５５：ＮＯ）、ステップＳ１６４に移行する。
【０２８０】
ステップＳ１５８において、システム制御部２０は、アフィリエイトCookieから会員ＩＤを取得し、利用予約代金等に応じた報酬ポイントを算出する（ステップＳ１５９）。
【０２８１】
次いで、システム制御部２０は、生成された会員予約情報に、アフィリエイト情報としてアフィリエイトCookieから取得された会員ＩＤと算出された報酬ポイントを設定すると（ステップＳ１６０）、会員予約情報を、セッション管理から取得された会員ＩＤに対応付けて会員利用予約データベース１０２に登録する（ステップＳ１６１）。
【０２８２】
そして、システム制御部２０は、アフィリエイトCookieから取得された会員ＩＤに対応付けて会員情報データベース１０１に登録されている会員情報中の仮ポイントに報酬ポイントを加算して仮ポイントを更新登録する（ステップＳ１６２）。
【０２８３】
次いで、システム制御部２０は、利用予約が完了したことを示す予約完了ページをユーザ端末４−ｋに送信するとともに、アフィリエイトCookieに対応するCookieの有効期限に過去の日付を設定して（すなわち、Cookieを削除するよう設定して）当該Cookieをユーザ端末４−ｋに送信すると（ステップＳ１６３）、処理を終了する。これにより、ユーザ端末４−ｋ側で、アフィリエイトCookieの削除が行われる。
【０２８４】
予約完了ページ及びCookieを受信したユーザ端末４−ｋは、予約完了ページを画面に表示するとともに、アフィリエイトCookieの有効期限が過ぎているので、当該Cookieを削除する。
【０２８５】
このようにして、システム制御部２０は、アフィリエイトリンクを介して利用予約が行われた場合には、アフィリエイトリンクに対応するコメント投稿者またはお気に入り登録者に対する報酬ポイントを仮ポイントとして付与するとともに、会員予約情報中にアフィリエイト情報を設定する。
【０２８６】
予約リクエストにアフィリエイトCookieが設定されていない場合には、システム制御部２０は、ステップＳ１６４において、生成された会員予約情報を、セッション管理から取得された会員ＩＤに対応付けて会員利用予約データベース１０２に登録する。
【０２８７】
次いで、システム制御部２０は、予約完了ページをユーザ端末４−ｋに送信すると（ステップＳ１６５）、処理を終了する。
【０２８８】
［４−６．予約キャンセル時における動作］
次に、ゴルフ場の利用予約のキャンセルが行われる場合の動作について、図２２を用いて説明する。
【０２８９】
図２２は、本実施形態に係るゴルフ場予約サーバ１のシステム制御部２０の予約キャンセル処理における処理の流れの一例を示すフローチャートである。
【０２９０】
ユーザはユーザ端末４−ｋを用いてゴルフ場予約システムＳにログインしており、当該ユーザ端末４−ｋの画面にはマイページ３００（図８参照）が表示されている。ユーザが画面に表示されているメニュー選択エリア３３０の予約状況確認・変更、取消リンクを選択すると、ユーザ端末４−ｋからゴルフ場予約サーバ１にリクエストが送信され、予約状況確認・変更、取消ページがゴルフ場予約サーバ１からユーザ端末４−ｋに送信される。予約状況確認・変更、取消ページには、ユーザによる現在の利用予約状況が表示される。
【０２９１】
ここで、ユーザが任意の利用予約に対応するキャンセルボタンを選択すると、ユーザ端末４−ｋは、当該利用予約に対応する予約番号を設定したキャンセルリクエストをゴルフ場予約サーバ１に送信する。
【０２９２】
そうすると、ゴルフ場予約サーバ１のシステム制御部２０は、図２２に示すように、キャンセルリクエストを受信する（ステップＳ２０１）。
【０２９３】
次いで、システム制御部２０は、キャンセルリクエストに設定された予約番号に対応するゴルフ場予約情報をゴルフ場情報データベース１０４から検索し、当該ゴルフ場予約情報を削除する（ステップＳ２０２）。
【０２９４】
そして、システム制御部２０は、予約番号に対応する会員予約情報を会員利用情報データベース１０２から検索し、当該会員予約情報にアフィリエイト情報が設定されているか否かを判定する（ステップ２０３）。
【０２９５】
ここで、システム制御部２０は、アフィリエイト情報が設定されていない場合は（ステップＳ２０３：ＮＯ）、会員予約情報を削除して（ステップＳ２０６）、処理を終了し、アフィリエイト情報が設定されている場合は（ステップＳ２０３：ＹＥＳ）、ステップＳ２０４に移行する。
【０２９６】
ステップＳ２０４において、システム制御部２０は、会員予約情報中のアフィリエイト情報から会員ＩＤ及び報酬ポイントを取得し、当該会員ＩＤに対応付けて会員情報データベース１０１に登録されている会員情報中の仮ポイントから報酬ポイントを減算して仮ポイントを更新登録する（ステップＳ２０５）。
【０２９７】
次いで、システム制御部２０は、会員予約情報を削除すると（ステップＳ２０６）、処理を終了する。
【０２９８】
このようにして、システム制御部２０は、ゴルフ場を利用する前にキャンセルされた利用予約については報酬ポイントが付与されないように制御する。
【０２９９】
なお、本実施形態においては、このような構成としたが、例えば、アフィリエイトにおいては、仮ポイントを付与しないような構成としておき、報酬が確定する段階で、はじめてユーザにアフィリエイトの報酬ポイントを確定ポイントとして付与するような構成としてもよい。このような構成とした場合には、図２２のステップＳ２０３からステップＳ２０５の処理はスキップされる。
【０３００】
［４−７．プレー確定時における動作］
次に、ゴルフ場の利用予約に係るプレーが確定した場合の動作について（図１７のステップＳ１５〜Ｓ１６）、図２３を用いて説明する。
【０３０１】
図２３は、本実施形態に係るゴルフ場予約サーバ１のシステム制御部２０のプレー確定処理における処理の流れの一例を示すフローチャートである。
【０３０２】
ゴルフ場予約サーバ１においては、例えば毎日一回（所定時刻（例えば、午前０時）が到来すると）、プレー確定処理を実行するようになっている。
【０３０３】
プレー確定処理が実行されると、システム制御部２０は、図２３に示すように、プレー日が本日に設定されている会員予約情報を会員利用情報データベース１０２から検索する（ステップＳ２５１）。
【０３０４】
次いで、システム制御部２０は、一つ以上の会員予約情報が検索されたか否かを判定し（ステップＳ２５２）、会員予約情報が一つも検索されなかった場合は（ステップＳ２５２：ＮＯ）、処理を終了し、一つ以上の会員予約情報が検索された場合には（ステップＳ２５２：ＹＥＳ）、ステップＳ２５３に移行する。
【０３０５】
ステップＳ２５３において、システム制御部２０は、検索された会員予約情報のうちの一つを特定する。
【０３０６】
次いで、システム制御部２０は、特定された会員予約情報から会員ＩＤを取得する（ステップＳ２５４）。
【０３０７】
そして、システム制御部２０は、会員予約情報に基づいてプレー履歴を生成し、取得された会員ＩＤに対応付けて会員利用情報データベース１０２に登録する（ステップＳ２５５）。
【０３０８】
次いで、システム制御部２０は、取得された会員ＩＤに対応付けて会員情報データベース１０１に登録されている会員情報から電子メールアドレスを送信先メールアドレスに設定した謝礼メールを送信する（ステップＳ２５６）。この謝礼メールの本文には、ゴルフ場予約システムＳの利用に対する謝礼を示すメッセージ、予約したゴルフ場の名称及びプレー日等が設定される。
【０３０９】
そして、システム制御部２０は、会員予約情報にアフィリエイト情報が設定されているか否かを判定し（ステップＳ２５７）、設定されている場合は（ステップＳ２５７：ＹＥＳ）、ステップＳ２５８に移行し、設定されていない場合は（ステップＳ２５７：ＮＯ）、ステップＳ２６２に移行する。
【０３１０】
ステップＳ２５８において、システム制御部２０は、アフィリエイト情報から会員ＩＤ及び報酬ポイントを取得する。
【０３１１】
次いで、システム制御部２０は、取得された会員ＩＤに対応付けて会員情報データベース１０１に登録されている会員情報中の仮ポイントから報酬ポイントを減算して仮ポイントを更新登録するとともに（ステップＳ２５９）、確定ポイントに報酬ポイントを加算して確定ポイントを更新登録する（ステップＳ２６０）。
【０３１２】
そして、システム制御部２０は、取得された会員ＩＤに対応付けて会員情報データベース１０１に登録されている会員情報から電子メールアドレスを送信先メールアドレスに設定したポイント獲得メールを送信する（ステップＳ２６１）。このポイント獲得メールの本文には、報酬を獲得した旨のメッセージ、獲得したポイント、予約が行われた日、予約されたゴルフ場の名称及びプレー日等が設定される。なお、本実施形態では、アフィリエイト報酬が確定する度にこのようなメールを送信するようにしたが、１ヶ月毎にまとめて、アフィリエイトの成果を通知するメールを送信するようにしてもよい。
【０３１３】
次いで、システム制御部２０は、会員予約情報を削除する（ステップＳ２６２）。
【０３１４】
こうして、一つの会員予約情報に対応するプレー確定の処理が終了すると、システム制御部２０は、検索された会員予約情報を全て削除したか否かを判定し（ステップＳ２６３）、未削除の会員予約情報が存在する場合は（ステップＳ２６３：ＮＯ）、ステップＳ２５３に移行してプレー確定処理を行い、未削除の会員予約情報が存在しない場合は（ステップＳ２６３：ＹＥＳ）、処理を終了する。
【０３１５】
このようにして、システム制御部２０は、アフィリエイトリンクを介したゴルフ場の利用予約が行われて、予約されたゴルフ場の利用（プレー）が確定すると、アフィリエイトリンクに対応するコメント投稿者またはお気に入り登録者に対する報酬ポイントを仮ポイントから確定ポイントに移行させ、報酬ポイントを確定させる。
【０３１６】
以上説明したように、本実施形態によれば、ゴルフ場予約サーバ１のシステム制御部２０が、ユーザにより入力されたコメントがコメント対象とするゴルフ場の利用予約を行うためのアフィリエイト用ＵＲＬであって、且つ当該ＵＲＬを介してコメント対象のゴルフ場の提供サービスの取引に関する行為に対して、コメントを入力したユーザに対する報酬ポイントを登録するためのアフィリエイト用ＵＲＬを生成するようになっている。そして、システム制御部２０は、生成されたアフィリエイト用ＵＲＬを含むアフィリエイトリンクを、ユーザにより入力されたコメントに対応させて選択可能にボイスセンターページに埋め込み、当該ページを他のユーザが利用するユーザ端末４−ｋに送信するようになっている。そうすると、このボイスセンターページに基づいてユーザ端末４−ｋにより画面表示されたコメントを閲覧した他のユーザがアフィリエイトリンクを選択することによりコメント対象のゴルフ場の利用予約が行われ、その利用が確定すると、コメントを入力したユーザの会員ＩＤに対応する会員情報中の確定ポイントに報酬ポイントが加算される。
【０３１７】
また、ゴルフ場予約サーバ１のシステム制御部２０が、ユーザによりお気に入りゴルフ場に指定されたゴルフ場の利用予約を行うためのアフィリエイト用ＵＲＬであって、且つ当該ＵＲＬを介して、お気に入りゴルフ場に指定されたゴルフ場の提供サービスの取引に関する行為に対して、お気に入りゴルフ場の指定を行ったユーザに対する報酬ポイントを登録するためのアフィリエイト用ＵＲＬを生成するようになっている。そして、システム制御部２０は、生成されたアフィリエイト用ＵＲＬを含むアフィリエイトリンクを、ユーザによりお気に入りに指定されたゴルフ場に対応させて選択可能にボイスセンターページに埋め込み、当該ページを他のユーザが利用するユーザ端末４−ｋに送信するようになっている。そうすると、このボイスセンターページに基づいてユーザ端末４−ｋにより画面表示されたお気に入りゴルフ場を閲覧した他のユーザがアフィリエイトリンクを選択することによりお気に入りに指定されたゴルフ場の利用予約が行われ、その利用が確定すると、お気に入りの指定を行ったユーザの会員ＩＤに対応する会員情報中の確定ポイントに報酬ポイントが加算される。
【０３１８】
従って、コメントを入力したり、お気に入りゴルフ場を指定するだけでその対象のゴルフ場の提供サービスに対応するアフィリエイトリンクが埋め込まれたＷｅｂページが生成され、このＷｅｂページがユーザ端末４−ｋに提供されるので、ユーザは、Ｗｅｂサイトの運営やＷｅｂページの作成等の作業を行わなくても、コメントやお気に入りゴルフ場を閲覧した他のユーザにより取引に関する行為が行われた場合に報酬を得ることができる。
【０３１９】
また、ゴルフ場予約サーバ１のシステム制御部２０は、利用予約を行ったユーザによるゴルフ場の利用が確定した予約に対応するプレー履歴をデータベースに登録し、当該プレー履歴が登録されたゴルフ場に対するコメントが入力された場合にアフィリエイトリンクを埋め込んだボイスセンターページを生成するので、他のユーザはゴルフ場に対する的確なコメントを閲覧した上で利用予約を行うことができる。
【０３２０】
さらに、ゴルフ場予約サーバ１のシステム制御部２０は、ユーザ端末４−ｋからアクセスリクエストを受信したときに、当該リクエストに設定されたアフィリエイト用のＵＲＬからゴルフ場ＩＤ及び会員ＩＤを取得し、ゴルフ場ＩＤが示すゴルフ場の利用予約ページと、当該会員ＩＤを設定したアフィリエイトCookieとを送信して、当該Cookieをユーザ端末４−ｋに保存させるようになっている。そして、システム制御部２０は、ユーザ端末４−ｋから送信された予約リクエストにアフィリエイトCookieが設定されている場合には、当該予約リクエストに設定されているゴルフ場ＩＤが示すゴルフ場、すなわち予約対象のゴルフ場が、アフィリエイトCookieをユーザ端末４−ｋに送信したときに同時に送信した利用予約ページが対応するゴルフ場と一致するか否かを問わずに、アフィリエイトCookieに設定されている会員ＩＤに対応する会員情報中の仮ポイントに報酬ポイントを加算して仮ポイントを更新登録するようになっている。
【０３２１】
従って、コメントを投稿したり、お気に入りゴルフ場を登録することで生成されたアフィリエイトリンクを介して利用予約が行われた場合には、その予約対象がコメント対象のゴルフ場やお気に入りに登録したゴルフ場と異なっていても、コメント投稿者やお気に入り登録者は報酬を得ることができるので、コメントの投稿やお気に入りゴルフ場の登録を促進することができる。
【０３２２】
なお、これとは逆に、予約対象がコメント対象のゴルフ場やお気に入りに登録したゴルフ場と一致した場合にのみコメント投稿者やお気に入り登録者に報酬を付与するように構成しても良い。
【０３２３】
この場合における具体的な動作について説明する。図２４は、本実施形態の変形例に係るゴルフ場予約サーバ１のシステム制御部２０の利用予約処理における処理の流れの一例を示すフローチャートであり、図２１と同様の要素については同様の符号を付してある。先ず、ゴルフ場予約サーバ１のシステム制御部２０は、アフィリエイト制御処理（図２０参照）のアフィリエイトCookie送信時において（ステップＳ１０６）、アフィリエイト用ＵＲＬから取得されたゴルフ場ＩＤを、会員ＩＤとともにアフィリエイトCookieに設定した上で当該アフィリエイトCookieをユーザ端末４−ｋに送信する。
【０３２４】
そして、システム制御部２０は、図２４に示す利用予約処理において、予約リクエストにアフィリエイトCookieが設定されている場合には（ステップＳ１５５：ＹＥＳ）、アフィリエイトCookieからゴルフ場ＩＤを取得して（ステップＳ１５６）、当該取得されたゴルフ場ＩＤと、予約リクエストに設定されている予約対象のゴルフ場のゴルフ場ＩＤとが一致するか否かを判定し（ステップＳ１５７）、一致する場合は（ステップＳ１５７：ＹＥＳ）、ステップＳ１５８に移行して、仮ポイントとして報酬ポイントを付与し、一致しない場合は（ステップＳ１５７：ＮＯ）、ステップＳ１６４に移行して、報酬ポイントの付与は行わないように制御すれば良い。
【０３２５】
また、以上説明した実施形態においては、ユーザに入力されたコメント等が設定されたコメント登録リクエストを受信した際にアフィリエイトリンクを埋め込んだボイスセンターページを予め生成し、また、お気に入りゴルフ場登録リクエストを受信した際にアフィリエイトリンクを埋め込んだボイスセンターページを予め生成していたが、コメント管理情報やお気に入りゴルフ場情報が会員利用データベース１０２に登録されるので、予めボイスセンターページを生成しなくても良い。例えば、ユーザ端末４−ｋからボイスセンターページのリクエストを受信した際に、コメント管理情報やお気に入りゴルフ場情報に基づいてアフィリエイトリンクを生成して、ユーザ端末４−ｋに送信すべきボイスセンターページを生成しても良いし、アフィリエイト用ＵＲＬまたはアフィリエイトリンクは予め生成して会員ＩＤに対応付けてデータベース等に登録しておき、ボイスセンターページのリクエストを受信した際に、この登録されたアフィリエイト用ＵＲＬやアフィリエイトリンクを用いてボイスセンターページを生成しても良い。
【０３２６】
また、上記実施形態においては、プレーに対するコメントが投稿された場合にアフィリエイト用リンクを埋め込むようにしたが、これに限らず、利用予約を行っていないユーザがコメントを投稿した場合や、利用予約を行ったユーザであってもプレーに対応しないコメントを投稿した場合においても、アフィリエイト用リンクを作成するようにしてもよい。
【０３２７】
また、上記実施形態においては、利用予約が行われた後、その利用予約に係るゴルフ場の利用が確定した場合に、コメント投稿者やお気に入り登録者に対して報酬ポイントを付与する、所謂、成果報酬型を採用していたが、例えば、ボイスセンターページに埋め込まれたアフィリエイトリンクがユーザに選択された場合（アフィリエイト用ＵＲＬが設定されたアクセスリクエストをゴルフ場予約サーバ１が受信したときに（または、対応するボイスセンターページを送信したとき））に、報酬ポイントを付与しても良いし（所謂、クリック保証型）、ユーザによる利用予約が行われた場合（会員予約情報を登録した場合）に、報酬ポイントを付与しても良い。
【０３２８】
また、上記実施形態においては、本発明の報酬情報としてゴルフ場予約システムにおいて利用することができるポイントを適用していたが、例えば、報酬として支払われる紹介料を示す情報であっても良いし、報酬として贈呈されるプレゼントに関する情報等であっても良い。
【０３２９】
また、上記実施形態においては、本発明の取引対象としてゴルフ場の提供サービスを適用していたが、例えば、他のサービスを適用しても良いし、商品に適用しても良い。
【０３３０】
また、上記実施形態においては、本発明の取引に関する行為としてサービスの利用予約を適用していたが、例えば、サービスや商品の売買取引、サービスの会員登録、サービスや商品に関する資料請求等に適用しても良い。
【図面の簡単な説明】
【０３３１】
【図１】本実施形態に係るゴルフ場予約システムＳの概要構成の一例を示す図である。
【図２】本実施形態に係るゴルフ場予約サーバ１の概要構成の一例を示すブロック図である。
【図３】会員情報データベース１０１に登録される情報の内容の一例を示す図である。
【図４】会員利用情報データベース１０２に登録される情報の内容の一例を示す図である。
【図５】（ａ）は、お気に入りゴルフ場情報の構成例を示す図であり、（ｂ）は、コメント管理情報の構成例を示す図である。
【図６】ランキング情報データベース１０３に登録される情報の内容の一例を示す図である。
【図７】ゴルフ場データベース１０４に登録される情報の内容の一例を示す図である。
【図８】マイページ３００の表示例を示す図である。
【図９】ボイスセンター・トップページ４００の表示例を示す図である。
【図１０】ゴルフ場ボイスセンターページ５００の表示例を示す図である。
【図１１】パーソナルボイスセンター・トップページ６００の表示例を示す図である。
【図１２】パーソナルボイスセンター・ゴルフ場毎ページ７００の表示例を示す図である。
【図１３】コメント詳細ページ８００の表示例を示す図である。
【図１４】（ａ）は、コメント書き込み数ランキングページ９００の表示例を示す図であり、（ｂ）は、お気に入り投稿者ランキングページ９５０の表示例を示す図である。
【図１５】お気に入り投稿者管理ページ１０００の表示例を示す図である。
【図１６】コメント投稿ページ１１００の表示例を示す図である。
【図１７】本実施形態に係るゴルフ場予約システムＳにおける処理の流れの一例を示すシーケンス図である。
【図１８】本実施形態に係るゴルフ場予約サーバ１のシステム制御部２０のコメント登録処理における処理の流れの一例を示すフローチャートである。
【図１９】本実施形態に係るゴルフ場予約サーバ１のシステム制御部２０のお気に入りゴルフ場登録処理における処理の流れの一例を示すフローチャートである。
【図２０】本実施形態に係るゴルフ場予約サーバ１のシステム制御部２０のアフィリエイト制御処理における処理の流れの一例を示すフローチャートである。
【図２１】本実施形態に係るゴルフ場予約サーバ１のシステム制御部２０の利用予約処理における処理の流れの一例を示すフローチャートである。
【図２２】本実施形態に係るゴルフ場予約サーバ１のシステム制御部２０の予約キャンセル処理における処理の流れの一例を示すフローチャートである。
【図２３】本実施形態に係るゴルフ場予約サーバ１のシステム制御部２０のプレー確定処理における処理の流れの一例を示すフローチャートである。
【図２４】本実施形態の変形例に係るゴルフ場予約サーバ１のシステム制御部２０の利用予約処理における処理の流れの一例を示すフローチャートである。
【符号の説明】
【０３３２】
１  ゴルフ場予約サーバ
３−ｊ  ゴルフ場端末
４−ｋ  ユーザ端末
１１  操作部
１２  表示部
１３  通信部
１４  ドライブ部
１５  記憶部
１６  入出力インタフェース
１７  ＣＰＵ
１８  ＲＯＭ
１９  ＲＡＭ
２０  システム制御部
２１  システムバス
１０１  会員情報データベース
１０２  会員利用情報データベース
１０３  ランキング情報データベース
１０４  ゴルフ場情報データベース
ＮＷ  ネットワーク
Ｓ  ゴルフ場予約システム
【図１】
2008052327.tif 000003
【図２】
2008052327.tif 000004
【図３】
2008052327.tif 000005
【図４】
2008052327.tif 000006
【図５】
2008052327.tif 000007
【図６】
2008052327.tif 000008
【図７】
2008052327.tif 000009
【図８】
2008052327.tif 000010
【図９】
2008052327.tif 000011
【図１０】
2008052327.tif 000012
【図１１】
2008052327.tif 000013
【図１２】
2008052327.tif 000014
【図１３】
2008052327.tif 000015
【図１４】
2008052327.tif 000016
【図１５】
2008052327.tif 000017
【図１６】
2008052327.tif 000018
【図１７】
2008052327.tif 000019
【図１８】
2008052327.tif 000020
【図１９】
2008052327.tif 000021
【図２０】
2008052327.tif 000022
【図２１】
2008052327.tif 000023
【図２２】
2008052327.tif 000024
【図２３】
2008052327.tif 000025
【図２４】
2008052327.tif 000026